(57)【要約】【課題】利用者に対して無駄な情報が配信されるのを確実に防止することができる情報配信システムを提供する。【解決手段】情報配信装置３１には、利用者６の趣味や嗜好を示す属性情報が記憶されている。定期券７には利用者６の識別コードが記録されている。自動改札機２１が定期券７から読み取った利用者識別コードが情報配信装置３１に送信される。情報配信装置３１は、該利用者６の属性情報に基づいて、該利用者の趣味、嗜好にあった配信情報を配信情報記憶部から抽出し配信する。したがって、利用者６に無駄な配信情報が配信されるのを防止することができる。【選択図】図１
2006252568.tif 000002
【特許請求の範囲】
【請求項１】
複数の駅に設置され、駅に入場または駅から退場した利用者の識別コードを記録した記録媒体から識別コードを読み取る読取手段と、
該読取手段が読み取った前記識別コード、該利用者の入退場を示す入退場情報、および該利用者の現在の居場所を示す現在地情報を送信する識別コード送信手段と、を有する複数の識別コード読取装置、および、
前記識別コード送信手段から送信されてきた、前記識別コード、入退場情報、および現在地情報を受信する識別コード受信手段と、
識別コードとその属性を示す属性情報とを記憶する属性情報記憶手段と、
複数の配信情報を記憶する配信情報記憶手段と、
前記属性情報記憶手段に記憶されている識別コード毎に、前記属性情報に含まれている利用区間に対応する２つの駅について、それぞれ入退場別に分けた４つのパターンのそれぞれに対して、前記配信情報記憶手段が記憶する複数の配信情報の中で、当該識別コードの属性情報に基づく配信情報を予め記憶しておく抽出情報記憶手段と、
前記識別コード受信手段が前記識別コード、入退場情報、および現在地情報を受信したとき、受信した前記識別コード、入退場情報、および現在地情報に対応する配信情報を前記抽出情報記憶手段から読み出し、読み出した配信情報を、受信した該識別コードの属性情報に含まれている配信先に送信する配信情報送信手段と、を有する情報配信装置、
を備えた情報配信システム。
【請求項２】
前記情報配信装置は、
前記属性情報記憶手段に記憶されている識別コード毎に、前記属性情報に含まれている利用区間に対応する２つの駅について、それぞれ入退場別に分けた４つのパターンのそれぞれについて、当該識別コードの属性情報に基づく配信情報を前記配信情報記憶手段から抽出する配信情報抽出手段を有し、
前記抽出情報記憶手段が、識別コード毎に、前記配信情報抽出手段がパターン毎に抽出した配信情報を記憶する手段である、
請求項１に記載の情報配信システム。
【請求項３】
前記情報配信装置は、
前記配信情報記憶手段が、配信条件が対応付けられた複数の配信情報を記憶する手段であり、
前記配信情報抽出手段が、前記属性情報記憶手段に記憶されている識別コード毎に、当該識別コードの属性情報を満足する配信条件が対応付けられている配信情報を抽出する手段である、
請求項２に記載の情報配信システム。
【請求項４】
前記情報配信装置は、
前記配信情報記憶手段が、配信条件が対応付けられた複数の配信情報を記憶する手段であり、
また、前記配信情報記憶手段に記憶されている配信情報毎に、属性情報が配信条件を満足する識別コードを前記属性情報記憶手段から抽出する識別コード抽出手段を有し、
さらに、前記抽出情報記憶手段が、前記識別コード毎に前記識別コード抽出手段により抽出されたときの配信情報を前記属性情報に含まれている利用区間に対応する２つの駅について、それぞれ入退場別に分けた４つのパターンのいずれかに対して記憶する手段である、
請求項１に記載の情報配信システム。
【請求項５】
複数の駅に設置され、駅に入場または駅から退場した利用者の識別コードを記録した記録媒体から識別コードを読み取る読取手段と、
該読取手段が読み取った前記識別コード、該利用者の入退場を示す入退場情報、および該利用者の現在の居場所を示す現在地情報を送信する識別コード送信手段と、を有する複数の識別コード読取装置、および、
前記識別コード送信手段から送信されてきた、前記識別コード、入退場情報、および現在地情報を受信する識別コード受信手段と、
識別コードとその属性を示す属性情報とを記憶する属性情報記憶手段と、
情報番号を対応づけた複数の配信情報を記憶する配信情報記憶手段と、
前記属性情報記憶手段に記憶されている識別コード毎に、前記属性情報に含まれている利用区間に対応する２つの駅について、それぞれ入退場別に分けた４つのパターンのそれぞれに対して、前記配信情報記憶手段が記憶する複数の配信情報の中で、当該識別コードの属性情報に基づく配信情報の情報番号を予め記憶しておく情報番号記憶手段と、
前記識別コード受信手段が前記識別コード、入退場情報、および現在地情報を受信したとき、受信した前記識別コード、入退場情報、および現在地情報に対応する情報番号を前記情報番号記憶手段から読み出し、さらに該情報番号に対応する配信情報を前記配信情報記憶手段から読み出し、受信した該識別コードに対応する配信先に送信する配信情報送信手段と、を有する情報配信装置、
を備えた情報配信システム。
【請求項６】
前記情報配信装置は、
前記属性情報記憶手段に記憶されている識別コード毎に、前記属性情報に含まれている利用区間に対応する２つの駅について、それぞれ入退場別に分けた４つのパターンのそれぞれについて、当該識別コードの属性情報に基づく配信情報を前記配信情報記憶手段から抽出する配信情報抽出手段を有し、
前記情報番号記憶手段が、識別コード毎に、前記配信情報抽出手段がパターン毎に抽出した配信情報の配信番号を記憶する手段である、
請求項５に記載の情報配信システム。
【請求項７】
前記情報配信装置は、
前記配信情報記憶手段が、配信条件が対応付けられた複数の配信情報を記憶する手段であり、
前記配信情報抽出手段が、前記属性情報記憶手段に記憶されている識別コード毎に、当該識別コードの属性情報を満足する配信条件が対応付けられている配信情報を抽出する手段である、
請求項６に記載の情報配信システム。
【請求項８】
前記情報配信装置は、
前記配信情報記憶手段が、配信条件が対応付けられた複数の配信情報を記憶する手段であり、
また、前記配信情報記憶手段に記憶されている配信情報毎に、属性情報が配信条件を満足する識別コードを前記属性情報記憶手段から抽出する識別コード抽出手段を有し、
さらに、前記情報番号記憶手段が、前記識別コード毎に前記識別コード抽出手段により抽出されたときの配信情報の配信番号を前記属性情報に含まれている利用区間に対応する２つの駅について、それぞれ入退場別に分けた４つのパターンのいずれかに対して記憶する手段である、
請求項５に記載の情報配信システム。
【請求項９】
駅に入場または駅から退場した利用者の識別コード、該利用者の入退場を示す入退場情報、および該利用者が入退場した駅を示す現在地情報を受信する識別コード受信手段と、
識別コードとその属性を示す属性情報とを記憶する属性情報記憶手段と、
複数の配信情報を記憶する配信情報記憶手段と、
前記属性情報記憶手段に記憶されている識別コード毎に、前記属性情報に含まれている利用区間に対応する２つの駅について、それぞれ入退場別に分けた４つのパターンのそれぞれに対して、前記配信情報記憶手段が記憶する複数の配信情報の中で、当該識別コードの属性情報に基づく配信情報を予め記憶しておく抽出情報記憶手段と、
前記識別コード受信手段が前記識別コード、入退場情報、および現在地情報を受信したとき、受信した前記識別コード、入退場情報、および現在地情報に対応する配信情報を前記抽出情報記憶手段から読み出し、読み出した配信情報を、受信した該識別コードの属性情報に含まれている配信先に送信する配信情報送信手段と、を有する情報配信装置。
【請求項１０】
前記属性情報記憶手段に記憶されている識別コード毎に、前記属性情報に含まれている利用区間に対応する２つの駅について、それぞれ入退場別に分けた４つのパターンのそれぞれについて、当該識別コードの属性情報に基づく配信情報を前記配信情報記憶手段から抽出する配信情報抽出手段を有し、
前記抽出情報記憶手段は、識別コード毎に、前記配信情報抽出手段がパターン毎に抽出した配信情報を記憶する手段である、請求項９に記載の情報配信装置。
【請求項１１】
前記配信情報記憶手段は、配信条件が対応付けられた複数の配信情報を記憶する手段であり、
前記配信情報抽出手段は、前記属性情報記憶手段に記憶されている識別コード毎に、当該識別コードの属性情報を満足する配信条件が対応付けられている配信情報を抽出する手段である、請求項１０に記載の情報配信装置。
【請求項１２】
前記配信情報抽出手段は、前記利用区間に対応する一方の駅の入場時について抽出した配信情報と、他方の駅の出場時について抽出した配信情報と、が同じ配信情報であるかどうかを判定し、この判定において同じ配信情報であると判定したとき、他方の駅の出場時について別の配信情報を抽出する手段である、請求項９、または１０に記載の情報配信装置。
【請求項１３】
前記配信情報記憶手段が、配信条件が対応付けられた複数の配信情報を記憶する手段であり、
また、前記配信情報記憶手段に記憶されている配信情報毎に、属性情報が配信条件を満足する識別コードを前記属性情報記憶手段から抽出する識別コード抽出手段を有し、
さらに、前記抽出情報記憶手段が、前記識別コード毎に前記識別コード抽出手段により抽出されたときの配信情報を前記属性情報に含まれている利用区間に対応する２つの駅について、それぞれ入退場別に分けた４つのパターンのいずれかに対して記憶する手段である、請求項９に記載の情報配信装置。
【請求項１４】
配信情報毎に前記識別コード抽出手段が抽出した識別コードをカウントする配信予定回数カウント手段を有し、
前記配信条件には、配信情報の配信回数を制限する配信制限回数が含まれており、
前記識別コード抽出手段は、配信予定回数カウント手段によるカウント値が前記配信制限回数に達した配信情報について識別コードの抽出を制限する手段である、請求項１３に記載の情報配信装置。
【請求項１５】
前記抽出情報記憶手段は、前記配信情報送信手段により配信先に送信された配信情報を消去する手段を含む、請求項９〜１４のいずれかに記載の情報配信装置。
【請求項１６】
駅に入場または駅から退場した利用者の識別コード、該利用者の入退場を示す入退場情報、および該利用者が入退場した駅を示す現在地情報を受信する識別コード受信手段と、
識別コードとその属性を示す属性情報とを記憶する属性情報記憶手段と、
情報番号を対応づけた複数の配信情報を記憶する配信情報記憶手段と、
前記属性情報記憶手段に記憶されている識別コード毎に、前記属性情報に含まれている利用区間に対応する２つの駅について、それぞれ入退場別に分けた４つのパターンのそれぞれに対して、前記配信情報記憶手段が記憶する複数の配信情報の中で、当該識別コードの属性情報に基づく配信情報の情報番号を予め記憶しておく情報番号記憶手段と、
前記識別コード受信手段が前記識別コード、入退場情報、および現在地情報を受信したとき、受信した前記識別コード、入退場情報、および現在地情報に対応する情報番号を前記情報番号記憶手段から読み出し、さらに該情報番号に対応する配信情報を前記配信情報記憶手段から読み出し、受信した該識別コードに対応する配信先に送信する配信情報送信手段と、を有する情報配信装置。
【請求項１７】
前記属性情報記憶手段に記憶されている識別コード毎に、前記属性情報に含まれている利用区間に対応する２つの駅について、それぞれ入退場別に分けた４つのパターンのそれぞれについて、当該識別コードの属性情報に基づく配信情報を前記配信情報記憶手段から抽出する配信情報抽出手段を有し、
前記情報番号記憶手段は、識別コード毎に、前記配信情報抽出手段がパターン毎に抽出した配信情報の情報番号を記憶する手段である、請求項１６に記載の情報配信装置。
【請求項１８】
前記配信情報記憶手段は、配信条件が対応付けられた複数の配信情報を記憶する手段であり、
前記配信情報抽出手段は、前記属性情報記憶手段に記憶されている識別コード毎に、当該識別コードの属性情報を満足する配信条件が対応付けられている配信情報を抽出する手段である、請求項１７に記載の情報配信装置。
【請求項１９】
前記配信情報抽出手段は、前記利用区間に対応する一方の駅の入場時について抽出した配信情報と、他方の駅の出場時について抽出した配信情報と、が同じ配信情報であるかどうかを判定し、この判定において同じ配信情報であると判定したとき、他方の駅の出場時について別の配信情報を抽出する手段である、請求項１７、または１８に記載の情報配信装置。
【請求項２０】
前記配信情報記憶手段が、配信条件が対応付けられた複数の配信情報を記憶する手段であり、
また、前記配信情報記憶手段に記憶されている配信情報毎に、属性情報が配信条件を満足する識別コードを前記属性情報記憶手段から抽出する識別コード抽出手段を有し、
さらに、前記情報番号記憶手段が、前記識別コード毎に前記識別コード抽出手段により抽出されたときの配信情報の情報番号を前記属性情報に含まれている利用区間に対応する２つの駅について、それぞれ入退場別に分けた４つのパターンのいずれかに対して記憶する手段である、請求項１６に記載の情報配信装置。
【請求項２１】
配信情報毎に前記識別コード抽出手段が抽出した識別コードをカウントする配信予定回数カウント手段を有し、
前記配信条件には、配信情報の配信回数を制限する配信制限回数が含まれており、
前記識別コード抽出手段は、配信予定回数カウント手段によるカウント値が前記配信制限回数に達した配信情報について識別コードの抽出を制限する手段を含む、請求項２０に記載の情報配信装置。
【請求項２２】
前記配信情報送信手段は、前記属性情報記憶手段に記憶されている全ての識別コードの中で、所定の期間内に前記利用区間に対応する駅への入場が確認されていない識別コードに対応する配信先に特定の配信情報を送信する手段を含む、請求項９〜２１のいずれかに記載の情報配信装置。
【請求項２３】
配信情報毎に前記配信情報送信手段により送信された回数をカウントする送信回数カウント手段を備えた請求項９〜２２のいずれかに記載の情報配信装置。
【請求項２４】
前記識別コード受信手段が前記識別コード、入退場情報、および現在地情報を受信したとき、この現在地情報が利用区間に対応する２つの駅を示しておらず、且つ入退場情報が駅からの退場を示していた場合に、前記配信情報記憶手段が記憶する配信情報の中から、当該現在地情報が示す駅近辺に関する配信情報を抽出する第１の補助的配信情報抽出手段を有し、
前記配信情報送信手段は、前記第１の補助的配信情報抽出手段が抽出した配信情報を、今回受信した識別コードの属性情報に含まれている配信先に送信する手段を含む、請求項９〜２３のいずれかに記載の情報配信装置。
【請求項２５】
前記識別コード受信手段が前記識別コード、入退場情報、および現在地情報を受信したとき、入退場情報が駅への入場を示していた場合に、当該識別コードの属性情報に、利用区間に対応する２つの駅以外の駅が特定駅として設定されているかどうかを判定する特定駅判定手段と、
前記特定駅判定手段により、特定駅が設定されている識別コードであると判定された場合に、前記配信情報記憶手段が記憶する配信情報の中から、当該特定駅近辺に関する配信情報を抽出する第２の補助的配信情報抽出手段と、を有し、
前記配信情報送信手段は、前記第２の補助的配信情報抽出手段が抽出した配信情報を、今回受信した識別コードの属性情報に含まれている配信先に送信する手段を含む、請求項９〜２４のいずれかに記載の情報配信装置。
【請求項２６】
識別コード受信手段が、駅に入場または駅から退場した利用者の識別コード、該利用者の入退場を示す入退場情報、および該利用者が入退場した駅を示す現在地情報を受信する第１のステップと、
抽出情報記憶手段が、識別コードとその属性を示す属性情報とを記憶する属性情報記憶手段が記憶する識別コード毎に、その属性情報に含まれている利用区間に対応する２つの駅について、それぞれ入退場別に分けた４つのパターンのそれぞれに対して、配信情報記憶手段が記憶する複数の配信情報の中で、当該識別コードの属性情報に基づく配信情報を予め記憶しておく第２のステップと、
前記第１のステップで前記識別コード、入退場情報、および現在地情報を受信したとき、配信情報送信手段が、受信した前記識別コード、入退場情報、および現在地情報に対応する配信情報を前記抽出情報記憶手段から読み出し、読み出した配信情報を、受信した該識別コードの属性情報に含まれている配信先に送信する第３のステップと、を有する情報配信方法。
【請求項２７】
識別コード受信手段が、駅に入場または駅から退場した利用者の識別コード、該利用者の入退場を示す入退場情報、および該利用者が入退場した駅を示す現在地情報を受信する第１のステップと、
情報番号記憶手段が、識別コードとその属性を示す属性情報とを記憶する属性情報記憶手段が記憶する識別コード毎に、その属性情報に含まれている利用区間に対応する２つの駅について、それぞれ入退場別に分けた４つのパターンのそれぞれに対して、配信情報記憶手段が記憶する情報番号を対応づけた複数の配信情報の中で、当該識別コードの属性情報に基づく配信情報の情報番号を予め記憶しておく第２のステップと、
前記第１のステップで前記識別コード、入退場情報、および現在地情報を受信したとき、配信情報送信手段が、受信した前記識別コード、入退場情報、および現在地情報に対応する情報番号を前記情報番号記憶手段から読み出し、さらに該情報番号に対応する配信情報を前記配信情報記憶手段から読み出し、受信した該識別コードに対応する配信先に送信する第３のステップと、を有する情報配信方法。
【発明の詳細な説明】
【技術分野】
【０００１】
この発明は、予め利用者毎に登録された利用者の属性情報に基づいて各利用者に情報を配信する情報配信システム、情報配信装置、および情報配信方法に関する。
【背景技術】
【０００２】
従来、登録内容に基づいて利用者に情報を配信する、所謂プッシュ型の情報配信サービスが行われていた。このサービスは、予め利用者が情報提供者に対して配信を要求する情報の種別等を登録しておき、情報提供者が利用者毎に登録内容に基づいて情報を配信する、サービスである。
【０００３】
具体的には、利用者は配信を希望する情報の種類、例えばファッション、音楽、スポーツ等、を予め登録している。情報提供者は管理している複数の情報、広告主から提供された広告等、の中から利用者毎に登録内容に応じた情報を抽出し、ここで抽出した情報を利用者に送信する。情報の送信は、無線通信、電話、ＦＡＸ、電子メール等様々な方法で行われている。
【０００４】
また、鉄道の駅において、自動改札機を通過した利用者に対して、情報を配信することが、特許文献１に記載されている。この特許文献１においては、利用者は定期券として利用できる携帯型記憶媒体を所持している。この携帯型記憶媒体は、予めＩＤ番号や配信を希望する情報の種類を記憶している。さらに、利用者はこのＩＤ番号で識別される携帯型情報端末を所持している。自動改札機は、利用者が携帯型記憶媒体を挿入すると、この携帯型記憶媒体に記憶されているＩＤ番号と情報の分野、すなわち利用者が配信を希望する情報の種類、を読み取り、読み取ったＩＤ番号および情報の分野をシステム管理装置に送信する。システム管理装置は、受信した情報の分野に一致する情報を、受信したＩＤ番号で識別される携帯型情報端末、すなわち利用者が所持する携帯型情報端末、に配信する。
【特許文献１】特開平８−１８５２３号公報
【発明の開示】
【発明が解決しようとする課題】
【０００５】
しかしながら、情報の配信先や配信を希望する情報の種類は、利用者が所持する携帯型記憶媒体に記憶されているため、システム管理装置において情報の配信先を変更する等、利用者を管理することができなかった。
【０００６】
また、システム管理装置は情報の配信先である利用者の性別、年齢、職業等、利用者の属性を知ることができず、単に利用者が希望する種類の情報を配信しているだけであった。このため、広告主は年齢層や職業等を絞った情報の配信が行えないという問題があった。
【０００７】
さらに、同じ利用者であっても、自動改札機を通過して施設に入場するときと、施設から退場するときとでは、以降の目的が異なる。例えば、駅に入場した利用者は、別の駅に移動し、移動した駅近辺で行動する。したがって、駅に入場した利用者にとって必要な情報は入場した駅近辺の情報ではなく、これから移動する別の駅近辺の情報である。反対に駅から退場したとき、その駅近辺で行動することから、退場した駅近辺の情報である。
【０００８】
このように、施設に入場した利用者と、施設から退場した利用者とでは、必要な情報が異なるが、上記公報に記載されたシステムでは、入場した利用者と退場した利用者とを区別して情報を配信することができなかった。
【０００９】
この発明の目的は、情報の配信先の変更等が行えるようにすることで、利用者を管理できる情報配信システム、情報配信装置、および情報配信方法を提供することである。
【００１０】
また、この発明は、年齢層や職業等、利用者層を絞った情報の配信が行える情報配信システム、情報配信装置、および情報配信方法を提供することを目的とする。
【００１１】
さらに、この発明は、利用者の行動に応じた内容の情報を配信することにより、利用者に対するサービスを向上させた情報配信システムに適用される情報配信装置を提供することを目的とする。
【課題を解決するための手段】
【００１２】
この発明の情報配信システムは、上記課題を解決するために以下の構成を備えている。
【００１３】
（１）複数の駅に設置され、駅に入場または駅から退場した利用者の識別コードを記録した記録媒体から識別コードを読み取る読取手段と、
該読取手段が読み取った前記識別コード、該利用者の入退場を示す入退場情報、および該利用者の現在の居場所を示す現在地情報を送信する識別コード送信手段と、を有する複数の識別コード読取装置、および、
前記識別コード送信手段から送信されてきた、前記識別コード、入退場情報、および現在地情報を受信する識別コード受信手段と、
識別コードとその属性を示す属性情報とを記憶する属性情報記憶手段と、
複数の配信情報を記憶する配信情報記憶手段と、
前記属性情報記憶手段に記憶されている識別コード毎に、前記属性情報に含まれている利用区間に対応する２つの駅について、それぞれ入退場別に分けた４つのパターンのそれぞれに対して、前記配信情報記憶手段が記憶する複数の配信情報の中で、当該識別コードの属性情報に基づく配信情報を予め記憶しておく抽出情報記憶手段と、
前記識別コード受信手段が前記識別コード、入退場情報、および現在地情報を受信したとき、受信した前記識別コード、入退場情報、および現在地情報に対応する配信情報を前記抽出情報記憶手段から読み出し、読み出した配信情報を、受信した該識別コードの属性情報に含まれている配信先に送信する配信情報送信手段と、を有する情報配信装置、
を備えている。
【００１４】
この構成では、駅に設置されている識別コード読取装置により記録媒体に記録されている利用者の識別コードが読み取られ、この利用者の識別コード、該利用者の入退場を示す入退場情報、および該利用者が現在の居場所を示す現在地情報が情報配信装置に送信される。識別コード読取装置としては、駅に設置されている自動改札機が利用できる。また、利用者の識別コードを記録した記録媒体としては、利用者が通勤や通学等に使用する定期券が利用できる。定期券は、その定期券を識別する識別コード、有効区間、有効期限等の情報を記録している。定期券は、これらの情報を磁気データで記録した磁気カード、電子データで記録した接触式ＩＣカード、または非接触式ＩＣカード等で構成される。
【００１５】
自動改札機には、利用者の駅への入場を制限する自動改札機（入場用の自動改札機）と、利用者の駅からの退場を制限する自動改札機（退場用の自動改札機）と、がある。入場用の自動改札機は、利用者が所有する定期券に記録されている情報を読み取り、その定期券が有効であるかどうかを判断し、有効であると判断するとゲートを開放して利用者の駅への入場を許可し、反対に有効でないと判断すると、ゲートを閉じて利用者の駅への入場を制限する。また、退場用の自動改札機は、利用者が所有する定期券に記録されている情報を読み取り、その定期券が有効であるかどうかを判断し、有効であると判断するとゲートを開放して利用者の駅からの退場を許可し、反対に有効でないと判断すると、ゲートを閉じて利用者の駅からの退場を制限する。このことから、利用者の識別コードを読み取った自動改札機が入場用の自動改札機であれば、該識別コードで識別される利用者は駅に入場した利用者であり、反対に利用者の識別コードを読み取った自動改札機が退場用の自動改札機であれば、該識別コードで識別される利用者は駅から退場した利用者である。さらに、利用者の現在の居場所は利用者の識別コードを読み取った自動改札機が設置されている場所である。
【００１６】
したがって、自動改札機に入場用、退場用を示す情報、および設置されている場所を示す情報を記憶させておけば、定期券に記録されている利用者の識別コードを読み取った自動改札機に、利用者の識別コード、該利用者の入退場を示す入退場情報、および該利用者の現在の居場所を示す現在地情報を情報配信装置へ送信させることができる。
【００１７】
情報配信装置には、利用者の識別コード毎に、利用者の氏名、性別、年齢、職業、だけでなく趣味、嗜好等利用者の好み、さらには配信情報の配信先、すなわち利用者が送信されてきた配信情報を受信し確認できる装置、を示す情報、利用区間等、様々な情報が属性情報として属性情報記憶手段に記憶されている。一般的な定期券の利用者は、日常的に乗り降りする２つの駅間の移動に定期券を使用しており、この２つの駅間（利用区間）を定期券の有効区間にしている。例えば、定期券を通勤や通学に使用する利用者であれば、自宅近辺の駅と会社や学校近辺の駅との間を有効区間にしている。しかし、日常的に乗り降りする２つの駅間を含む区間を定期券の有効区間にしている利用者もいる。このように、定期券の有効区間が、利用者が日常的に乗り降りする２つの駅を示す利用区間であるとは限らない。前記属性情報に利用区間を設けることで、利用者が日常的に乗り降りする２つの駅を正確に得ることができる。
【００１８】
情報配信装置は、予め、属性情報記憶手段に属性情報が記憶されている識別コード毎に、すなわち利用者毎に、利用区間に相当する２つの駅について、それぞれ入退場別に分けた４つのパターンのそれぞれに対して、配信情報記憶手段が記憶する複数の配信情報の中で、当該識別コードの属性情報、すなわち利用者の属性（趣味、嗜好等）、に基づく配信情報を予め記憶している。配信情報記憶手段には企業や店舗等の広告主等から提供された複数の配信情報が記憶されている。定期券の利用者は、１日あたり、
(1)自宅近辺の駅に入場、
(2)会社や学校近辺の駅から退場、
(3)会社や学校近辺の駅に入場、
(4)自宅近辺の駅から退場、
の合計４回、自動改札機を通過すると考えられる。
【００１９】
情報配信装置は、上記(1)〜(4)の場合に利用者に配信する配信情報を,上述したように、予め抽出し、抽出情報記憶手段に記憶している。情報配信装置は、識別コード受信手段が利用者の識別コード、入退場情報、および現在地情報を受信すると、受信した利用者の識別コード、入退場情報、および現在地情報に対応する配信情報を抽出情報記憶手段から読み出し、ここで読み出した配信情報を属性情報に含まれている配信先に送信する。
【００２０】
このように、情報配信装置は、利用者毎に配信する配信情報を予め抽出し、抽出情報記憶手段に記憶させているので、識別コード読取装置から送信されてきた識別コードを受信したとき、すぐに利用者に配信情報を送信することができる。したがって、利用者に配信情報が送信されるまでの時間の短縮が図れ、例えば駅に入場した利用者に対して、該利用者が電車に乗車する前に配信情報を配信することができる。
【００２１】
また、情報配信装置では配信先を含む利用者の属性を示す属性情報を属性情報記憶手段に記憶しているので、利用者毎に配信情報の配信先の変更等、利用者の管理も行える。また、この属性情報を用いることにより、広告主が利用者の年齢、職業等を絞った情報の配信が行え、効率的に情報を配信できる。
【００２２】
また、配信情報の送信先を利用者が所有している携帯電話機とし、配信情報送信手段に配信情報を電子メールで送信させてもよい。この場合、情報配信装置が利用者の携帯電話機に配信情報を送信するときの通信距離について特に考慮しなくてもよいので、１台の情報配信装置で多数の利用者に対して配信情報を送信することができる。したがって、システム構築にかかるコストが大幅に削減できる。また、携帯電話機は既に広く一般に普及しており、多くの人が所有している。したがって、利用者は情報配信装置から送信されてくる配信情報を受信するために特別な受信装置を用意しなくてもよいので、このサービスの提供を受ける利用者の負担も抑えられる。
【００２３】
なお、前記配信情報には企業や店舗等の広告主からの宣伝広告だけでなく、ニュース、天気予報、交通情報等、様々な種類の情報がある。また、配信情報は有料であっても、無料であってもよい。有料の配信情報としては、例えば歌手Ａの画像データや、音楽情報が考えられる。また、配信情報の送信先は上記携帯電話機に限らず、電話機やＦＡＸ装置等、他の通信機器であってもよい。
【００２４】
また、識別コード読取装置として機能する自動改札機毎に、該自動改札機を識別する機器コード、入場用であるか退場用であるかを示す入退場種別、および設置場所を対応付けた情報を情報配信装置に登録しておいてもよい。この場合、識別コード読取装置が読み取った識別コードと自機の機器コードとを情報配信装置に送信することで、情報配信装置において識別コード、入退場情報、および現在地情報を得ることができ、識別コード読取装置と情報配信装置との間で通信されるデータ量を抑えることができる。
【００２５】
また、（１）の構成に、属性情報記憶手段に記憶されている識別コード毎に、前記属性情報に含まれている利用区間に対応する２つの駅について、それぞれ入退場別に分けた４つのパターンのそれぞれについて、当該識別コードの属性情報に基づく配信情報を前記配信情報記憶手段から抽出する配信情報抽出手段を設け、抽出情報記憶手段が、この配信情報抽出手段により抽出された識別コード毎の配信情報を、当該識別コードに対応する各パターンの配信情報として記憶する構成としてもよい。この場合、配信情報に配信条件を付けてもよい。配信条件として、例えば性別、年齢等がある。このように配信条件を設定しておくことで、女性向けの広告（配信情報）が男性に配信されたり、逆に男性向けの広告が女性に配信されたりするのを防止できる。また、広告主にとっては年齢層、例えば３０代、等で利用者層を絞った広告の配信が行え、効率的な宣伝が可能になる。
【００２６】
また、（１）の構成に、配信情報記憶手段が記憶する配信情報毎に、属性情報記憶手段が記憶する、当該配信情報の配信条件を満足する識別コードを抽出する識別コード抽出手段を設け、抽出情報記憶手段が、識別コード毎に識別コード抽出手段により抽出されたときの配信情報を属性情報に含まれている利用区間に対応する２つの駅について、それぞれ入退場別に分けた４つのパターンのいずれかに対して記憶する構成としてもよい。このように、構成した場合も、女性向けの広告（配信情報）が男性に配信されたり、逆に男性向けの広告が女性に配信されたりするのを防止できるとともに、広告主にとっては年齢層、例えば３０代、等で利用者層を絞った広告の配信が行え、効率的な宣伝が可能になる。
【００２７】
（２）複数の駅に設置され、駅に入場または駅から退場した利用者の識別コードを記録した記録媒体から識別コードを読み取る読取手段と、
該読取手段が読み取った前記識別コード、該利用者の入退場を示す入退場情報、および該利用者の現在の居場所を示す現在地情報を送信する識別コード送信手段と、を有する複数の識別コード読取装置、および、
前記識別コード送信手段から送信されてきた、前記識別コード、入退場情報、および現在地情報を受信する識別コード受信手段と、
識別コードとその属性を示す属性情報とを記憶する属性情報記憶手段と、
情報番号を対応づけた複数の配信情報を記憶する配信情報記憶手段と、
前記属性情報記憶手段に記憶されている識別コード毎に、前記属性情報に含まれている利用区間に対応する２つの駅について、それぞれ入退場別に分けた４つのパターンのそれぞれに対して、前記配信情報記憶手段が記憶する複数の配信情報の中で、当該識別コードの属性情報に基づく配信情報の情報番号を予め記憶しておく情報番号記憶手段と、
前記識別コード受信手段が前記識別コード、入退場情報、および現在地情報を受信したとき、受信した前記識別コード、入退場情報、および現在地情報に対応する情報番号を前記情報番号記憶手段から読み出し、さらに該情報番号に対応する配信情報を前記配信情報記憶手段から読み出し、受信した該識別コードに対応する配信先に送信する配信情報送信手段と、を有する情報配信装置、
を備えている。
【００２８】
この構成は、上記（１）における抽出情報記憶手段を、情報番号記憶手段に置き換えた構成である。この構成では、情報番号記憶手段が配信情報そのものを記憶するのではなく、配信情報に対応づけられている情報番号を記憶するので、上記（１）における抽出情報記憶手段に比べて、必要な記憶容量が抑えられる。また、配信情報に誤りがあった場合、配信情報記憶手段に記憶されている配信情報を訂正するだけで、これ以降に誤りがあった配信情報が配信されることがなく、配信情報の訂正が簡単に行える。
【００２９】
また、この構成においても、属性情報記憶手段に記憶されている識別コード毎に、前記属性情報に含まれている利用区間に対応する２つの駅について、それぞれ入退場別に分けた４つのパターンのそれぞれについて、当該識別コードの属性情報に基づく配信情報を前記配信情報記憶手段から抽出する配信情報抽出手段を設け、情報番号記憶手段が、この配信情報抽出手段により抽出された識別コード毎の配信情報の情報番号を、当該識別コードに対応する各パターンの配信情報として記憶する構成としてもよい。この場合も、配信情報に配信条件を付けてもよい。配信条件として、例えば性別、年齢等がある。このように配信条件を設定しておくことで、女性向けの広告（配信情報）が男性に配信されたり、逆に男性向けの広告が女性に配信されたりするのを防止できる。また、広告主にとっては年齢層、例えば３０代、等で利用者層を絞った広告の配信が行え、効率的な宣伝が可能になる。
【００３０】
また、配信情報記憶手段が記憶する配信情報毎に、属性情報記憶手段が記憶する、当該配信情報の配信条件を満足する識別コードを抽出する識別コード抽出手段を設け、情報番号記憶手段が、識別コード毎に識別コード抽出手段により抽出されたときの配信情報の情報番号を属性情報に含まれている利用区間に対応する２つの駅について、それぞれ入退場別に分けた４つのパターンのいずれかに対して記憶する構成としてもよい。このように、構成した場合も、女性向けの広告（配信情報）が男性に配信されたり、逆に男性向けの広告が女性に配信されたりするのを防止できるとともに、広告主にとっては年齢層、例えば３０代、等で利用者層を絞った広告の配信が行え、効率的な宣伝が可能になる。
【００３１】
また、この発明の情報配信装置は、上記課題を解決するために以下の構成を備えている。
【００３２】
（３）駅に入場または駅から退場した利用者の識別コード、該利用者の入退場を示す入退場情報、および該利用者が入退場した駅を示す現在地情報を受信する識別コード受信手段と、
識別コードとその属性を示す属性情報とを記憶する属性情報記憶手段と、
複数の配信情報を記憶する配信情報記憶手段と、
前記属性情報記憶手段に記憶されている識別コード毎に、前記属性情報に含まれている利用区間に対応する２つの駅について、それぞれ入退場別に分けた４つのパターンのそれぞれに対して、前記配信情報記憶手段が記憶する複数の配信情報の中で、当該識別コードの属性情報に基づく配信情報を予め記憶しておく抽出情報記憶手段と、
前記識別コード受信手段が前記識別コード、入退場情報、および現在地情報を受信したとき、受信した前記識別コード、入退場情報、および現在地情報に対応する配信情報を前記抽出情報記憶手段から読み出し、読み出した配信情報を、受信した該識別コードの属性情報に含まれている配信先に送信する配信情報送信手段と、を有する。
【００３３】
この構成による情報配信装置は、上記（１）で説明した情報配信システムに適用される装置であり、上記（１）で説明した効果を奏する。
【００３４】
この構成の情報配信装置においても、上記（１）で説明した配信情報抽出手段や、識別コード抽出手段を、設けることができる。
【００３５】
（４）また（３）の構成に、上記（１）で説明した配信情報抽出手段を設けるとともに、
前記配信情報抽出手段は、前記利用区間に対応する一方の駅の入場時について抽出した配信情報と、他方の駅の出場時について抽出した配信情報と、が同じ配信情報であるかどうかを判定し、この判定において同じ配信情報であると判定したとき、他方の駅の出場時について別の配信情報を抽出する手段である。
【００３６】
通常、利用区間の一方の駅に入場した利用者は、これから電車に乗って利用区間の他方の駅に移動する。この構成では、利用区間の一方の駅に入場したときと、利用区間の他方の駅から退場したときとで、利用者に同じ配信情報が送信されるのを防止できる。
【００３７】
（５）また（３）の構成に、上記（１）で説明した識別コード抽出手段を設けるとともに、
配信情報毎に前記識別コード抽出手段が抽出した識別コードをカウントする配信予定回数カウント手段を有し、
前記配信条件には、配信情報の配信回数を制限する配信制限回数が含まれており、
前記識別コード抽出手段は、配信予定回数カウント手段によるカウント値が前記配信制限回数に達した配信情報について識別コードの抽出を制限する手段とする、構成としてもよい。
【００３８】
この構成では、配信情報毎に、利用者に送信される予定回数がカウントされており、このカウント値が配信制限回数に達すると、識別コード抽出手段による識別コードの抽出が制限される。これにより、各配信情報は利用者に送信される送信回数が、配信制限回数を超えることがない。通常、広告主に請求する広告宣伝費の金額は、情報の配信回数、すなわち利用者への送信回数、に応じた金額である。一方、広告主はこの広告宣伝費にかかる金額を予め設定している。広告主は、配信条件に配信制限回数を設定することにより、予定していた金額を超える広告宣伝費が請求されるのを防止できる。したがって、広告主に対するサービスの向上が図れる。
【００３９】
（６）前記抽出情報記憶手段は、前記配信情報送信手段により配信先に送信された配信情報を消去する手段を含む。
【００４０】
この構成では、抽出情報記憶手段において利用者への送信が完了し、不要になった配信情報が消去されるようにしたので、抽出情報記憶手段の記憶領域を有効に利用できるとともに、利用者に対して何度も同じ配信情報が配信されるのを防止できる。
【００４１】
（７）駅に入場または駅から退場した利用者の識別コード、該利用者の入退場を示す入退場情報、および該利用者が入退場した駅を示す現在地情報を受信する識別コード受信手段と、
識別コードとその属性を示す属性情報とを記憶する属性情報記憶手段と、
情報番号を対応づけた複数の配信情報を記憶する配信情報記憶手段と、
前記属性情報記憶手段に記憶されている識別コード毎に、前記属性情報に含まれている利用区間に対応する２つの駅について、それぞれ入退場別に分けた４つのパターンのそれぞれに対して、前記配信情報記憶手段が記憶する複数の配信情報の中で、当該識別コードの属性情報に基づく配信情報の情報番号を予め記憶しておく情報番号記憶手段と、
前記識別コード受信手段が前記識別コード、入退場情報、および現在地情報を受信したとき、受信した前記識別コード、入退場情報、および現在地情報に対応する情報番号を前記情報番号記憶手段から読み出し、さらに該情報番号に対応する配信情報を前記配信情報記憶手段から読み出し、受信した該識別コードに対応する配信先に送信する配信情報送信手段と、を有する。
【００４２】
この構成による情報配信装置は、上記（２）で説明した情報配信システムに適用される装置であり、上記（２）で説明した効果を奏する。
【００４３】
この構成の情報配信装置においても、上記（２）で説明した配信情報抽出手段や、識別コード抽出手段を、設けることができる。
【００４４】
（８）また（３）の構成に、上記（１）で説明した配信情報抽出手段を設けるとともに、
前記配信情報抽出手段は、前記利用区間に対応する一方の駅の入場時について抽出した配信情報と、他方の駅の出場時について抽出した配信情報と、が同じ配信情報であるかどうかを判定し、この判定において同じ配信情報であると判定したとき、他方の駅の出場時について別の配信情報を抽出する手段である。
【００４５】
この構成では、上記（４）と同様の効果を奏する。
【００４６】
（９）また（３）の構成に、上記（１）で説明した識別コード抽出手段を設けるとともに、
配信情報毎に前記識別コード抽出手段が抽出した識別コードをカウントする配信予定回数カウント手段を有し、
前記配信条件には、配信情報の配信回数を制限する配信制限回数が含まれており、
前記識別コード抽出手段は、配信予定回数カウント手段によるカウント値が前記配信制限回数に達した配信情報について識別コードの抽出を制限する手段を含む、構成としてもよい。
【００４７】
この構成では、上記（５）と同様の効果を奏する。
【００４８】
（１０）前記配信情報送信手段は、前記属性情報記憶手段に記憶されている全ての識別コードの中で、所定の期間内に前記利用区間に対応する駅への入場が確認されていない識別コードに対応する配信先に特定の配信情報を送信する手段を含む。
【００４９】
この構成では、所定の期間内に駅への入場が確認されていない利用者に対して特定の配信情報が送信されるので、例えば駅に入場していない利用者、すなわちこれから駅に入場する利用者、に対して、特定の配信情報として事故、災害等による交通機関の運行停止等の情報を配信することで、利用者に対するサービスの一層の向上が図れる。
【００５０】
（１１）配信情報毎に前記配信情報送信手段により送信された回数をカウントする送信回数カウント手段を備えている。
【００５１】
通常、広告主に請求する金額は、送信回数に応じて決められる。これは、殆ど利用者に送信されなかった配信情報と、非常に多くの利用者に送信された配信情報とで、同じ金額を請求すると、殆ど利用者に送信されなかった配信情報を提供した広告主が不満に感じるからである。この構成では、送信回数カウント手段が、配信情報毎に利用者に送信した送信回数をカウントしているので、広告主に対して適正な料金の請求が行える。
【００５２】
（１２）前記識別コード受信手段が前記識別コード、入退場情報、および現在地情報を受信したとき、この現在地情報が利用区間に対応する２つの駅を示しておらず、且つ入退場情報が駅からの退場を示していた場合に、前記配信情報記憶手段が記憶する配信情報の中から、当該現在地情報が示す駅近辺に関する配信情報を抽出する第１の補助的配信情報抽出手段を有し、
前記配信情報送信手段は、前記第１の補助的配信情報抽出手段が抽出した配信情報を、今回受信した識別コードの属性情報に含まれている配信先に送信する手段を含む。
【００５３】
この構成では、利用区間に対応する２つの駅でない、他の駅で退場した利用者に対しても、退場した駅近辺に関する配信情報を、第１の補助的配信情報抽出手段で抽出し、送信することができる。したがって、利用者に対するサービスの一層の向上が図れる。
【００５４】
（１３）前記識別コード受信手段が前記識別コード、入退場情報、および現在地情報を受信したとき、入退場情報が駅への入場を示していた場合に、当該識別コードの属性情報に、利用区間に対応する２つの駅以外の駅が特定駅として設定されているかどうかを判定する特定駅判定手段と、
前記特定駅判定手段により、特定駅が設定されている識別コードであると判定された場合に、前記配信情報記憶手段が記憶する配信情報の中から、当該特定駅近辺に関する配信情報を抽出する第２の補助的配信情報抽出手段と、を有し、
前記配信情報送信手段は、前記第２の補助的配信情報抽出手段が抽出した配信情報を、今回受信した識別コードの属性情報に含まれている配信先に送信する手段を含む。
【００５５】
この構成では、利用区間に対応する２つの駅以外の駅が特定駅として設定されている場合、この特定駅近辺に関する配信情報を、第２の補助的配信情報抽出手段で抽出し、送信することができる。これにより、利用者は、受け取った特定駅近辺関する配信情報の中に、気になる情報があれば、そこに立ち寄ることができる。したがって、利用者に対するサービスの一層の向上が図れる。
【発明の効果】
【００５６】
この発明によれば、情報配信装置において利用者の属性情報を記憶しているので、配信情報の配信先の変更等、利用者を管理できる。
【００５７】
また、広告主は情報を配信する利用者層を設定することができるので、利用者に対する情報配信が効率的に行える。
【００５８】
さらに、利用者の行動に応じた内容の情報を配信することができるので、利用者に対して無駄な情報の配信が抑えられる。したがって、無駄な情報の配信にかかるコストが抑えられるとともに、無駄な情報が送信されてきたときの煩わしさから利用者を解放することができる。
【発明を実施するための最良の形態】
【００５９】
図１は、この発明の実施形態である情報配信システムを示す図である。ここでは、主として通勤や通学に定期券を利用している利用者に対して情報（この発明で言う配信情報）を配信するシステムを例にして説明する。
【００６０】
図１において、１は公共交通機関である鉄道会社である。鉄道会社１には、定期券や指定券等の乗車券の発行管理、列車の運行管理、定期券等を発行した利用者にかかる個人情報の管理等を行うサーバ装置１１が設置されている。２は駅である。駅２には、自動改札機２１、自動精算機２２、定期券発行機２３等が設置されている。自動改札機２１が、この発明で言う識別コード読取装置に相当する。また、２５は駅２における乗降客を管理するホスト装置であり、自動改札機２１および自動精算機２２が接続されている。ホスト装置２５は、公衆回線を介して鉄道会社１のサーバ装置１１に接続されている。なお、定期券発行機２３はホスト装置２５には接続されていないが、公衆回線を介して鉄道会社１のサーバ装置１１に接続されている。
【００６１】
３は、情報配信センタである。情報配信センタ３には、情報配信装置３１が設置されている。図２は、情報配信装置３１の構成を示すブロック図である。情報配信装置３１は、本体の動作を制御する制御部３１１と、利用者に配信する配信情報を蓄積的に記憶する配信情報記憶部３１２、利用者毎に利用者の氏名、年齢、性別、趣味、嗜好等の属性情報を記憶し、利用者を管理する属性情報記憶部３１３と、利用者毎に配信情報記憶部３１１に記憶されている配信情報から属性情報に基づいて抽出された配信情報を記憶する抽出情報記憶部３１４と、利用者に対して配信情報を送信（配信）する送信部３１５と、他の機器から送信されてきた情報を受信する受信部３１６と、を備えている。配信情報記憶部３１２に記憶されている配信情報は、企業や店舗等の広告主から利用者への配信を依頼された広告だけでなく、ニュース、天気予報、交通情報等、色々な種類の情報がある。
【００６２】
５はインタネットである。前記情報配信センタ３に設置されている情報配信装置３１はインタネット５や公衆回線（専用回線を含む）に有線または無線で接続されている。上述したサーバ装置１１やホスト装置２５等もインタネット５に接続されている。また、インタネット５には、情報配信装置３１の配信情報記憶部３１２に記憶されている配信情報の提供者である広告主のホスト装置（不図示）も接続されている。広告主のホスト装置はインタネット５を介して、配信情報記憶部３１２に記憶されている配信情報について変更、削除等が行える。
【００６３】
６は、通勤や通学に定期券７を利用している利用者であり、８は該利用者６が所有する携帯電話機である。この携帯電話機８は、電子メールを受信することができる。例えば、ｉ−ｍｏｄｅ（登録商標）の携帯電話機８である。また、８は携帯電話機能を有する携帯型のパーソナルコンピュータ（所謂ノートパソコン）や、ＰＤＡ（Ｐｅｒｓｏｎａｌ  Ｄｉｇｉｔａｌ  Ａｓｓｉｓｔａｎｔｓ）等であってもよいし、またＦＡＸ装置等の他の通信機器であってもよい。
【００６４】
自動改札機２１は、利用者６の駅構内への入場、駅構内からの退場を制限する装置であり、駅２の改札口に設置されている。精算機２２は乗り越しした利用者６が駅構内から退場するとき、乗り越し分の運賃を精算する装置である。定期券発行機２３は、定期券７を発行する装置である。定期券発行機２３で発行された定期券７には、有効区間、有効期間等を示す情報だけでなく、該定期券７の所有者である利用者６を識別することができる利用者識別コードが磁気データで記録されている（図３参照）。定期券７が、この発明で言う記録媒体に相当する。
【００６５】
なお、この利用者識別コードは定期券発行機２３において、定期券７の発行時に定期券を識別するために設定されるコードであるが、発行された定期券７を利用する利用者６が特定できるので、利用者識別コードとして利用できる。
【００６６】
また、情報配信センタ３に設置されている情報配信装置３１の属性情報記憶部３１３は、利用者６毎に該利用者６が所有する定期券７に記録されている利用者識別コードと該利用者６の属性を示す属性情報とを対応づけて記憶している。属性情報には、配信情報の配信を希望している配信希望者であるかどうかを示す情報、利用者の氏名、年齢、性別、職業、配信を希望する配信情報の種別、配信を希望しない配信情報、列車の時刻表配信の要／不要、列車の遅延案内配信の要／不要、配信情報の送信先（メールアドレス）、乗車時の配信希望の有無、降車時の配信希望の有無、乗車区間（経由駅を含む）、自宅の電話番号、勤務先の電話番号等である（図４参照）。
【００６７】
なお、前記配信を希望しない配信情報は、例えば特定の広告主から提供される配信情報であれば広告主名が設定され、特定の地域にかかる配信情報であれば地域名が設定される。さらに、乗車区間は図４において左側に記載されている駅が自宅近辺の駅であり、右側に記載されている駅が勤務先や学校近辺の駅である。この乗車区間がこの発明で言う利用区間に相当し、また一般的な利用者６はこの利用区間を有効区間とした定期券７を購入している。また、この２つの駅がこの発明で言う現在地情報に関連する地点である。また、この２つの駅が現在地情報から判別される利用者６の現在位置となる可能性が高い。
【００６８】
利用者６は定期券７の購入時に申し込み用紙に前記属性情報を記入し、係員が定期券発行機２３に記入されている属性情報を入力して定期券７を発行する。定期券発行機２３は、入力された属性情報を鉄道会社１のサーバ装置１１および情報配信装置３１に送信する。
【００６９】
利用者識別コードは、上述したように定期券発行機２３により定期券７の発行時に設定され、上記属性情報とともにサーバ装置１１および情報配信装置３１に送信される。また、定期券発行装置２３は上記有効区間、有効期限、利用者識別コードを記録した定期券７を発行する。また、利用者６は属性情報記憶部３１３に記憶されている自分の属性情報に対して任意のタイミングで変更、追加、削除といった更新を行うことができる。具体的には、利用者６はパーソナルコンピュータを操作し、インタネット５を介して情報配信装置３１にアクセスすることができ、属性情報記憶部３１３に記憶されている自身の属性情報について更新が行える。また、情報配信装置３１においても属性情報記憶部３１３に記憶されている利用者６の属性情報の更新が行える。この実施形態では、前記属性情報として記憶されている利用者６のメールアドレスは利用者６が所有する携帯電話機８のメールアドレスであるとして、以下説明する。このメールアドレスが配信情報の配信先（送信先）となる。
【００７０】
情報配信装置３１の配信情報記憶部３１２には、広告主から提供された複数の配信情報が記憶されている。これらの配信情報は、以下に示す配信条件を付けることもできる。配信条件は、広告主が配信情報を配信する利用者６と、配信情報を配信しない利用者６とを分類する条件であり、広告主が自由に設定できる。例えば、女性向けの配信情報を提供する広告主の場合、配信情報を配信する利用者６を女性のみに限定することができる。すなわち、該配信情報が男性に配信されないように設定できる。また、年齢層（２０代、３０代等）の設定も行える。
【００７１】
図５は、配信情報記憶部に記憶されている配信情報の例を示す図である。配信情報記憶部３１２は、配信条件（図５（Ａ）参照）と配信情報（図５（Ｂ）参照）とを対応づけて記憶している。また、配信情報には該配信情報を識別する配信情報番号が与えられている。図５に示す例は、配信情報を配信する利用者層を、女性、年齢が２０〜２９歳、新宿駅を経由する人に絞り込む配信条件である。また、配信情報番号はＫ０００１である。配信情報の有効期限は２０００年９月１日〜２０００年１０月３１日の期間に限定されている。前記有効期間を過ぎると、この配信情報が利用者６に配信されることはない。
【００７２】
情報配信装置３１は、広告主から提供されている配信情報をスポーツ、映画、音楽、ファッション等の種類別に分類し、さらに前記配信条件で細分類して管理している。配信情報をこのように管理することで、配信情報記憶部３１２に記憶されている配信情報の中から、各利用者６に配信する配信情報を抽出する処理が効率的に行え、該処理にかかる時間が抑えられる。
【００７３】
次に、自動改札機２１について説明する。自動改札機２１は駅構内への利用者の入場、または駅構内からの利用者の退場を制限する装置である。図６は自動改札機２１の構成を示すブロック図であり、図７は自動改札機２１の外観を示す図である。
【００７４】
自動改札機１は、本体の動作を制御する制御部２１１と、動作時に利用する情報や、動作時に発生した情報を記憶する記憶部２１２と、現在の時間を計時する計時部２１３と、ホスト装置２５に情報を送信する送信部２１４と、定期券やキップ等の乗車券が本体に挿入されたことを検出する挿入検出部２１５と、本体に挿入された乗車券を搬送する搬送部２１６と、搬送されている乗車券に記録されているデータを読み取る読取部２１７と、利用者６の通行を制限する扉２１８ａを開閉する扉駆動部２１８とを備えている。自動改札機２１は、扉２１８ａを閉じて利用者６が通路を通行するのを禁止することにより、駅への入場または駅からの退場を制限する。
【００７５】
自動改札機２１は、通路の入口の右側に乗車券を挿入する挿入口２１６ａを備え、出口の右側に本体に挿入された乗車券を放出する放出口２１６ｂを備えている。挿入口２１６ａと放出口２１６ｂとの間には、乗車券を搬送する搬送路２１６ｃが設けられている。挿入口２１６ａには、乗車券の挿入を検知する挿入検知センサ２１５ａが設けられている。この挿入検知センサ２１５ａが乗車券の挿入を検知すると、搬送部２１６が挿入口２１６ａに挿入された乗車券を放出口２１６ｂへ搬送する。また、磁気ヘッド２１７ａは搬送路２１６ｃを搬送されている乗車券に記録されているデータを読み取る。
【００７６】
図７において、通行方向が駅構内に向かう方向であれば入場用の自動改札機２１であり、反対に駅構内から外側に向かう方向であれば退場用の自動改札機２１である。また、記憶部２１４には、自装置を識別するゲートコード、や自装置が入場用であるか、退場用であるかを示す情報が記憶されている。上記ゲートコードがこの発明で言う、現在地情報に相当する。
【００７７】
なお、入場用の自動改札機２１と退場用の自動改札機２１とを通路を挟んで対向して配置することにより、１本の通路が双方向の通行に利用できる。
【００７８】
以下、この実施形態にかかる情報配信システムの動作について説明する。
【００７９】
最初に、この実施形態の情報配信システムにおける各機器間での情報の流れについて簡単に説明する。図８は、この情報の流れを示す図である。
【００８０】
自動改札機２１は、利用者６の定期券７から利用者識別コード、有効期間、有効区間等の情報を読み取る。情報配信装置３１は自動改札機２１から通過情報を受け取る。この通過情報には、利用者識別コード、有効期間、有効区間、ゲートコード、通過時刻、入退場情報が含まれている。この通過情報の詳細については後述する。情報配信装置３１は、自動改札機２１から送信されてきた通過情報に基づいて、利用者６の携帯電話機８に配信情報を電子メールで配信する。情報配信装置３１は、利用者６の属性情報や配信情報の配信条件、さらには通過情報に基づいて配信情報記憶部３１２に記憶されている配信情報の中から適当な配信情報を抽出し、抽出した配信情報を利用者６に送信する。利用者６は携帯電話機８において情報配信装置３１から配信されてきた配信情報を確認できる。
【００８１】
なお、この実施形態では、自動改札機２１は通過情報を直接情報配信装置３１に送信するのではなく、駅２に設けられているホスト装置２５を介して情報配信装置３１に通過情報を送信する。
【００８２】
以下、この実施形態の情報配信システムの動作について詳細に説明する。
【００８３】
まず、利用者６が駅に入場、または駅から退場するため、定期券７を自動改札機２１に挿入する。図９は自動改札機の動作を示すフローチャートである。
【００８４】
なお、ここでは入場用の自動改札機２１を例にして説明する。
【００８５】
自動改札機２１は、挿入検知センサ２１５ａにより挿入口２１６ａに定期券７が挿入されたことを検知すると（ｓ１）、搬送部２１６が搬送路２１６ｃの動作を開始して、挿入口２１６ａに挿入された定期券７の搬送を開始する（ｓ２）。定期券７は放出口２１６ｂまで搬送される。読取部２１７は、搬送されている定期券７に磁気データで記録されている利用者識別コード、有効期間、有効区間を磁気ヘッド２１７ａにより読み取る（ｓ３）。制御部２１１は、現在がｓ３で読み取った有効期間内であるかどうか（ｓ４）、当駅が有効区間内の駅であるかどうか（ｓ５）、を判定する。
【００８６】
自動改札機２１は、有効期間内で、且つ有効区間であると判定すると、利用者識別コード、入場情報を含む通過情報をホスト装置２５に送信し（ｓ６）、扉２１８ａを開ける（ｓ７）。通過情報の詳細については後述する。この通過情報は、ホスト装置２５からリアルタイムに情報配信装置３１に転送される。
【００８７】
なお、自動改札機２１が直接情報配信装置３１に通過情報を送信するように構成してもよい。
【００８８】
自動改札機２１は、定期券７を放出口２１６ｂまで搬送すると（ｓ８）、搬送路２１６ｃの動作を停止する（ｓ９）。自動改札機２１は、利用者６が通過するのに十分な時間だけ待機し（ｓ１０）、その後扉２１８ａを閉じる（ｓ１１）。したがって、利用者６は通路を通って駅構内に入場できる。
【００８９】
なお、利用者６は放出口２１６ｂに搬送された定期券７を持って、駅構内に入場する。
【００９０】
一方、自動改札機２１は、ｓ４で有効期間内でないと判定した場合、またはｓ５で有効区間でないと判定した場合、ｓ１２で扉２１８ａが開いているかどうかを判断し（ｓ１２）、開いていればｓ１１で扉を閉じて、利用者６に対して通路の通行を禁止する。したがって、利用者６は通路を通って駅構内に入場できない。
【００９１】
なお、この場合も定期券７は放出口２１６ｂまで搬送され、利用者６に返却される。
【００９２】
このように、自動改札機２１は投入された定期券７に記録されている磁気データ（有効区間、有効期間、利用者識別コード等）を読み取り、利用者６の駅構内への入場を許可するかどうかを判定している。
【００９３】
なお、ここでは定期券７は有効区間、有効期間、利用者識別コード等を磁気データで記録した磁気券であるとしたが、周知の非接触式のＩＣ券や接触式のＩＣ券等であってもよいし、さらには携帯端末８を定期券７として利用できるようにしてもよい。この場合、自動改札機２１は挿入検出部２１５や搬送部２１６を不要にできる。読取部２１７は定期券７から利用者識別コード等を読み取れる構成に置き換えればよい。
【００９４】
ここで、自動改札機２１がｓ６で送信する通過情報について説明する。通過情報には、定期券７から読み取った利用者識別コード、有効期間、有効区間、に加えて、記憶部２１２に記憶している自装置を識別するゲートコード、利用者６の通過時刻、さらに利用者が駅に入場したのか、退場したのかを示す入場／退場情報が含まれている（図１０参照）。ゲートコードは、自動改札機２１が設置されている場所を直接的に示す情報であってもよいし、単に自動改札機２１を識別する番号であってもよい。この場合、情報配信装置３１側にゲートコードをキーにして自動改札機２１の設置場所が判断できる情報を記憶させておけばよい。
【００９５】
また、入場用の自動改札機２１から出力される通過情報の入場／退場情報は入場であり、退場用の自動改札機２１から出力される通過情報の入場／退場情報は退場である。さらに、ゲートコードから自動改札機２１が入場用であるか、退場であるかを判断できるようにすると、入場／退場情報を不要にできる。
【００９６】
ホスト装置２５は、自動改札機２１から送信されてきた通過情報を蓄積的に記憶するとともに、この通過情報をリアルタイムにインタネット５や公衆回線を介して情報配信センタ３、すなわち情報配信装置３１、に送信する。また、ホスト装置２５は所定のタイミングで、蓄積的に記憶した前記通過情報を鉄道会社１に設置されているサーバ装置１１に送信する。サーバ装置１１は、ホスト装置２５から送信されてくる通過情報を記憶し、管理することで、各利用者６の利用状況を収集し、管理する。
【００９７】
次に、情報配信センタ３に設置されている情報配信装置３１の動作について説明する。
【００９８】
情報配信装置３１は、属性情報記憶部３１３に属性情報が記憶されている利用者６毎に配信情報を配信する。各利用者６に配信する配信情報は、配信情報記憶部３１２に記憶している配信情報の中から、利用者６の属性情報等に基づいて抽出した配信情報を配信する。
【００９９】
この実施形態の情報配信装置３１は、利用者６毎に、予め配信情報記憶部３１２から配信する配信情報を抽出し、ここで抽出した利用者６毎の配信情報を抽出情報記憶部３１４に記憶しておく、配信情報抽出処理を行う。この配信情報抽出処理は、自動改札機２１を利用する利用者６がいない夜中に実行される。
【０１００】
一般的な定期券の利用者は、１日あたり、
(1)自宅近辺の駅に入場、
(2)会社や学校近辺の駅から退場、
(3)会社や学校近辺の駅に入場、
(4)自宅近辺の駅から退場、
の合計４回、自動改札機を通過する。したがって、情報配信装置３１は利用者６毎に通過情報が(1)〜(4)の４回送信されてくると仮定し、この４回のそれぞれについて利用者６に配信する配信情報を抽出し、予め抽出情報記憶部３１４に記憶しておく。この、処理が配信情報抽出処理である。以下、配信情報抽出処理について詳細に説明する。
【０１０１】
図１１は、配信情報抽出処理を示すフローチャートである。
【０１０２】
情報配信装置３１は、属性情報記憶部３１３に属性情報が記憶されている全ての利用者６に対して、以下に示すｓ２１〜ｓ３３の処理を行い、全ての利用者６について完了すると（ｓ３４）、本処理を終了する。属性情報記憶部３１３に登録されている順番に、ｓ２１〜ｓ３３の処理を実行する。
【０１０３】
情報配信装置３１は、利用者識別コードに対応する属性情報を属性情報記憶部３１３から読み出す（ｓ２１）。情報配信装置３１は、ｓ２１で属性情報を読み出した利用者６について、自宅近辺の駅入場時に配信する配信情報を抽出する（ｓ２２）。このとき、情報配信装置３１は自宅近辺の駅に関連する地点を勤務先近辺の駅とし、勤務先近辺の駅に関する配信情報を抽出する。ｓ２２では、この利用者６の属性情報に基づいて利用者６の趣味、嗜好等を考慮して配信情報を抽出する。また、行き先である勤務先近辺の情報を抽出する。抽出情報記憶部３１４には、利用者６毎に利用者識別コードに対応付けられた配信情報記憶領域が４つ（領域Ａ〜Ｄ）割り当てられている（図１２参照）。領域Ａは自宅近辺の駅入場時に利用者６に配信する配信情報を記憶する領域であり、領域Ｂは勤務先近辺の駅退場時に利用者６に配信する配信情報を記憶する領域であり、領域Ｃは勤務先近辺の駅入場時に利用者６に配信する配信情報を記憶する領域であり、領域Ｄは自宅近辺の駅退場時に利用者６に配信する配信情報を記憶する領域である。各領域Ａ〜Ｄには利用者６に配信する配信情報本体が記憶される。
【０１０４】
なお、図１２において領域Ｂ、Ｄの内容が、なし、となっている利用者６については、この利用者６が駅からの退場時に配信情報の配信を希望していないからである。
【０１０５】
情報配信装置３１は、ｓ２２で抽出した配信情報を対応する利用者６の領域Ａに記憶する（ｓ２３）。次に、情報配信装置３１は、勤務先近辺の駅からの退場時に利用者６に配信する配信情報を抽出する（ｓ２４）。このとき、情報配信装置３１は勤務先近辺の駅に関連する地点を勤務先近辺の駅とし、勤務先近辺の駅に関する配信情報を抽出する。したがって、ｓ２４で抽出した配信情報がｓ２２で抽出した配信情報と同じである可能性がある。このため、ｓ２５で領域Ａに記憶されている配信情報と同じであるかどうかを判断し、同じであれば別の配信情報を抽出する（ｓ２６）。
【０１０６】
なお、ｓ２４、ｓ２６で配信情報を抽出する際も、利用者６の属性情報および配信情報に付けられている配信条件に基づいて配信情報を抽出している。
【０１０７】
情報配信装置３１は、ｓ２４またはｓ２６で抽出した配信情報を対応する利用者６の領域Ｂに記憶する（ｓ２７）。さらに、情報配信装置３１は、勤務先近辺の駅入場時に利用者６に配信する配信情報を抽出する（ｓ２８）。このとき、情報配信装置３１は勤務先近辺の駅に関連する地点を自宅近辺の駅とし、自宅近辺の駅に関する配信情報を抽出する。情報配信装置３１は、ｓ２８で抽出した配信情報を対応する利用者６の領域Ｃに記憶する（ｓ２９）。
【０１０８】
情報配信装置３１は、自宅近辺の駅からの退場時に利用者６に配信する配信情報を抽出する（ｓ３０）。このとき、情報配信装置３１は自宅近辺の駅に関連する地点を自宅近辺の駅とし、自宅近辺の駅に関する配信情報、または翌日に関する情報を抽出する。したがって、ｓ３０で抽出した配信情報がｓ２８で抽出した配信情報と同じである可能性がある。このため、ｓ３１で領域Ｃに記憶されている配信情報であるかどうかを判断し、同じであれば別の配信情報を抽出する（ｓ３２）。情報配信装置３１は、ｓ３０またはｓ３２で抽出した配信情報を対応する利用者６の領域Ｄに記憶する（ｓ３３）。
【０１０９】
なお、ｓ２８、ｓ３０、ｓ３２で配信情報を抽出する際も、利用者６の属性情報および配信情報に付けられている配信条件に基づいて配信情報を抽出している。
【０１１０】
このように、この実施形態の情報配信装置３１は、入場時には入場した駅（現在地情報）に関連する地点を行き先の駅として配信する配信情報を抽出し、退場時には退場した駅（現在地情報）に関連する地点を退場した駅近辺として配信する配信情報を抽出している。これにより、後述する情報配信処理において、利用者６に対して駅への入退場に応じた配信情報の配信が行える。また、ｓ２５、ｓ２６、ｓ３１、ｓ３２を設けたので、利用者６に対して同じ配信情報を何度も配信することがない。
【０１１１】
次に、情報配信装置３１の配信処理について説明する。図１３および図１４は配信処理を示すフローチャートである。
【０１１２】
情報配信装置３１は、ホスト装置２５から送信されてきた通過情報を受信すると（ｓ４１）、受信した通過情報と、属性情報記憶３１３に記憶している通過情報の利用者識別コードに対応する属性情報とを用いて利用者６が
(1)自宅近辺の駅に入場したのか、
(2)勤務先近辺の駅から退場したのか、
(3)勤務先近辺の駅に入場したのか、
(4)自宅近辺の駅から退場したのか、
(5)自宅近辺の駅および勤務先近辺の駅以外の駅に入場したのか、
(6)自宅近辺の駅および勤務先近辺の駅以外の駅から退場したのか、
を判定する（ｓ４２〜ｓ４６）。
【０１１３】
情報配信装置３１は、利用者６が自宅近辺の駅に入場したと判定した場合、この利用者６に対応する領域Ａが送信済みであるかどうかを判定する（ｓ４７）。ｓ４７で送信済みでなければ、領域Ａに記憶されている配信情報を利用者６の携帯電話機８に電子メールで送信する（ｓ４８）。この携帯電話機８のメールアドレスは属性情報として登録されている。情報配信装置３１は、領域Ａに記憶していた配信情報を利用者６に配信すると、該領域Ａに記憶されている配信情報を削除し、領域Ａを送信済みに書き換える（ｓ４９）。さらに、情報配信装置３１は、利用者６に送信した配信情報について設けられている送信回数をカウントするカウンタを１カウントアップする（ｓ５０）。情報配信装置３１は、ｓ４７で送信済みであると判定した場合には、ｓ４８〜ｓ５０の処理を行うことなく、本処理を終了する。
【０１１４】
上記カウンタは、配信情報記憶部３１２に記憶されている配信情報ごとに設けられており、各配信情報について利用者６に配信した配信回数をカウントしている。通常、広告主に対して請求する配信料金は、配信回数に応じて決められる。これは、殆ど利用者６に配信されなかった配信情報と、非常に多くの利用者６に配信された配信情報とで、配信料金を同じにすると、広告主の間に不満が生じるからである。この実施形態の情報配信装置３１は、配信情報毎に上記カウンタで配信回数をカウントすることにより、広告主に対して適正な配信料金の請求が行えるようにした。
【０１１５】
また、抽出情報記憶部３１４に記憶している配信情報を配信すると、この配信情報を抽出情報記憶部３１４から削除し、送信済みに書き換えるようにしたので、利用者６に何度も同じ配信情報が配信されることはない。例えば、会社へ出勤するために、自宅近くの駅に入場した利用者６が、忘れ物などを取りに自宅に帰り、忘れ物を持って再度自宅近くの駅に入場した場合、最初に入場したときには領域Ａに記憶されている配信情報が利用者６に配信されるが、忘れ物を持って自宅近くの駅に再入場したときには領域Ａはすでに送信済みになっており、利用者６に同じ配信情報が配信されることがない。
【０１１６】
なお、同じ利用者６に何度も同じ配信情報が配信された場合、利用者６が煩わしく感じるだけでなく、上記の理由から広告主にとっても請求される配信料金に無駄が生じ、好ましいことではない。
【０１１７】
また、上記ｓ４２〜ｓ４６の処理において、利用者６が勤務先近くの駅から退場したと判定すると、領域Ｂが送信済みであるかどうかを判定し（ｓ５１）、送信済みでなければ、領域Ｂに記憶されている配信情報を配信し（ｓ５２）、領域Ｂを送信済みに書き換え（ｓ５３）、送信した配信情報ついて設けられている送信回数をカウントするカウンタを１カウントアップする（ｓ５０）。また、上記ｓ４２〜ｓ４６の処理において、利用者６が勤務先近くの駅に入場したと判定すると、領域Ｃが送信済みであるかどうかを判定し（ｓ５４）、送信済みでなければ、領域Ｃに記憶されている配信情報を配信し（ｓ５５）、領域Ｃを送信済みに書き換え（ｓ５６）、送信した配信情報ついて設けられている送信回数をカウントするカウンタを１カウントアップする（ｓ５０）。さらに、上記ｓ４２〜ｓ４６の処理において、利用者６が自宅近くの駅から退場したと判定すると、領域Ｄが送信済みであるかどうかを判定し（ｓ５７）、送信済みでなければ、領域Ｄに記憶されている配信情報を配信し（ｓ５８）、領域Ｄを送信済みに書き換え（ｓ５９）、送信した配信情報ついて設けられている送信回数をカウントするカウンタを１カウントアップする（ｓ５０）。
【０１１８】
情報配信装置３１は、上記ｓ４２〜ｓ４６の処理において、利用者６が自宅近辺の駅、および勤務先近辺の駅以外の駅に入場したと判定すると、これから利用者６がどこに行こうとしているのか、行き先が判断できないため、配信情報を送信することなく本処理を終了する。これにより、利用者６に対して配信情報を無駄に配信することがない。
【０１１９】
最後に、情報配信装置３１は、上記ｓ４２〜ｓ４６の処理において、利用者６が自宅近辺の駅、および勤務先近辺の駅以外の駅から退場したと判定すると、該利用者６が退場した駅近辺に関する配信情報であって、且つ利用者６の属性情報および配信条件に基づく配信情報を配信情報記憶部３１２から抽出する（ｓ６０）。情報配信装置３１は、ｓ６０で抽出した配信情報を利用者６の携帯電話機８に電子メールで送信し（ｓ６１）、その後上記ｓ５０を行う。
【０１２０】
このように、この実施形態の情報配信装置３１はｓ４６、ｓ６０、ｓ６１を設けたことにより、利用者６が定期券７の有効区間内の途中駅で下車した場合も、該利用者６に下車した駅近辺の情報を配信することができる。
【０１２１】
また、情報配信装置３１は、予め利用者６に配信する配信情報を抽出し、抽出情報記憶部３１４に記憶しておく構成を採用したので、ホスト装置２５から利用者６の通過情報が送信されてくると、利用者６に対してすぐに配信情報を送信することができる。したがって、利用者６が駅に入場したときには、電車に乗車する前に該利用者６に配信情報を送信することができる。
【０１２２】
次に、この発明の別の実施形態について説明する。上記実施形態の情報配信システムは、図１１に示した配信情報抽出処理において抽出した配信情報本体を抽出情報記憶部３１４に設けた該当する利用者６の領域Ａ〜Ｄに記憶させるとしたが、この実施形態では配信情報に付けられている配信情報番号を記憶させるようにした。
【０１２３】
以下、この実施形態の情報配信装置３１における配信情報抽出処理について説明する。
【０１２４】
なお、自動改札機２１の動作や、定期券７に記録されているデータ等については、上記実施形態と同じであり、ここでは説明を省略する。また、属性情報記憶部３１３に、記憶されている利用者６毎の属性情報も同じである。
【０１２５】
図１５は、この実施形態の情報配信装置にかかる配信情報抽出処理を示すフローチャートである。
【０１２６】
なお、図１１と同じ処理については同じステップ番号（ｓ＊＊）を付している。
【０１２７】
情報配信装置３１は、上記ｓ２１、ｓ２２の処理を実行し、抽出した配信情報に付けられている配信情報番号を該当する利用者６の領域Ａに記憶する（ｓ７１）。情報配信装置３１は、上記ｓ２４、ｓ２５、ｓ２６の処理を行うと、抽出した配信情報に付けられている配信情報番号を該当する利用者６の領域Ｂに記憶する（ｓ７２）。また、情報配信装置３１は上記ｓ２８の処理を行うと、抽出した配信情報に付けられている配信情報番号を該当する利用者６の領域Ｃに記憶する（ｓ７３）。さらに、情報配信装置３１は、上記ｓ３０、ｓ３１、ｓ３２の処理を行うと、抽出した配信情報に付けられている配信情報番号を該当する利用者６の領域Ｄに記憶する（ｓ７２）。
【０１２８】
上記ｓ２１〜ｓ７４の処理を、属性情報記憶部３１３に属性情報を記憶している全ての利用者６について実行すると、本処理を終了する。
【０１２９】
図１６は、抽出情報記憶部の記憶内容を示す図である。図１２に示した場合と同様に、利用者６毎に４つの領域Ａ〜Ｄが割り当てられている。しかし、各領域Ａ〜Ｄには利用者６に配信する配信情報本体ではなく、配信情報に付けられている配信情報番号が記憶される。したがって、上記実施形態に比べて抽出情報記憶部３１３の記憶容量を小さくできる。この実施形態における抽出情報記憶部３１３がこの発明で言う配信番号記憶手段に相当する。
【０１３０】
次に、この実施形態の情報配信装置３１の配信処理について説明する。この実施形態の情報配信装置３１の配信処理も図１３、および図１４に示した処理と略同じであるが、ｓ４８、ｓ５２、ｓ５５、ｓ５８の処理が異なる。具体的には、これら４つの処理を、それぞれ図１７に示すｓ８１〜ｓ８３の処理に置き換えて動作する。
【０１３１】
情報配信装置３１は、領域＊に記憶されている配信情報番号を読み出す（ｓ８１）。ここで領域＊は、領域Ａ〜Ｄのいずれかを示し、ｓ４８に置き換えた処理であるときには領域Ａであり、ｓ５２に置き換えた処理であるときには領域Ｂであり、ｓ５５に置き換えた処理であるときには領域Ｃであり、ｓ５８の処理に置き換えた処理であるときには領域Ｄである。
【０１３２】
情報配信装置３１は、ｓ８１で読み出した配信情報番号をキーとして配信情報記憶３１２に記憶されている配信情報を検索し、該当する配信情報番号が付けられている配信情報を読み出す（ｓ８２）。情報配信装置３１は、ｓ８２で読み出した配信情報を利用者６の携帯電話機８に電子メールで送信する（ｓ８３）。
【０１３３】
なお、この実施形態の情報配信装置３１も上記実施形態の装置と同様に、利用者６に配信した配信情報を記憶していた領域については、配信情報番号を削除し、送信済みに書き換える。
【０１３４】
このように、この実施形態の情報配信装置３１は、利用者６の携帯電話機８に配信情報を送信するときに、配信情報記憶部３１２から該当する配信情報を読み出し、送信するので、配信情報記憶部３１２に記憶されている配信情報に誤りがあった場合の訂正が簡単に行える。具体的には、配信情報記憶部３１２に記憶されている配信情報に対して訂正するだけでよい。このため、配信情報の訂正にかかる手間が低減できる。
【０１３５】
なお、上記実施形態の情報配信システムでは、抽出情報記憶部３１３に記憶されている配信情報について、利用者識別コード毎に訂正が必要であった。すなわち、同一の多数の配信情報について、それぞれ訂正する必要があった。
【０１３６】
次に、この発明の別の実施形態について説明する。この実施形態の配信情報には、配信情報の配信回数を制限する制限回数が配信条件として設定されている。広告主は、この制限回数により、配信情報の配信回数を制限できる。例えば、制限回数を３００回にすることで、延べ３０１人以上の利用者６に配信されることがない。以下、この実施形態の情報配信装置３１における配信情報抽出処理について説明する。
【０１３７】
なお、自動改札機２１の動作や、定期券７に記録されているデータ等については、上記実施形態と同じであり、ここでは説明を省略する。また、属性情報記憶部３１３には、記憶されている利用者６毎の属性情報も同じである。
【０１３８】
図１８は、この実施形態の情報配信装置における配信情報抽出処理を示す図である。
【０１３９】
情報配信装置３１は、配信情報記憶部３１２に記憶されている配信情報毎に図１８に示すｓ９１〜ｓ９６の処理を実行し、全ての配信情報について上記処理を行うと、本処理を終了する。配信情報記憶部３１２に記憶されている順番にｓ９１〜ｓ９６の処理が行われる。情報配信装置３１は、配信情報、および配信条件を読み出す（ｓ９１）。次に、属性情報記憶部３１３に属性情報が記憶されている利用者６毎に、属性情報が配信条件を満足する利用者６の利用者識別コードを抽出する（ｓ９２）。抽出情報記憶部３１４には、図１２に示した領域Ａ〜Ｄが設けられている。
【０１４０】
情報配信装置３１は、ｓ９２で読み出した利用者識別コードの対応する領域に配信情報を記憶する（ｓ９３）。情報配信装置３１は、この配信情報について配信予定回数をカウントしているカウンタを１カウントアップする（ｓ９４）。情報配信装置３１は、配信予定回数をカウントしているカウンタのカウント値が、この配信情報の配信条件に含まれている制限回数に達したかどうかを判定する（ｓ９５）。
【０１４１】
情報配信装置３１は、ｓ９５で配信予定回数が制限回数に達していないと判定すると、ｓ９６で属性情報記憶部３１３に属性情報が記憶されている全ての利用者６について、属性情報が配信条件を満足するかどうかの判断を行ったかどうかを判断する（ｓ９６）。情報配信装置３１は、ｓ９６で属性情報が配信条件を満足するかどうかの判断を行っていない利用者６が残っていると、ｓ９２に戻って上記処理を繰り返す。ｓ９６で上記判断を行っていない利用者６が残っていないと判定すると、以下に示すｓ９７に進む。
【０１４２】
一方、情報配信装置はｓ９５で配信予定回数が制限回数に達したと判定すると、配信情報記憶部３１２に記憶されている全ての配信情報について、上記ｓ９１以降の処理を行ったかどうかを判定する（ｓ９７）。情報配信装置３１は、ｓ９７でｓ９１以降の処理を行っていない配信情報があると判定すると、ｓ９１に戻って上記処理を繰り返す。情報配信装置３１は、ｓ９７でｓ９１以降の処理を行っていない配信情報がないと判定すると本処理を終了する。
【０１４３】
したがって、配信情報毎に抽出情報記憶部３１４に記憶されている総数がこの配信情報の制限回数を超えることがない。
【０１４４】
この実施形態の情報配信装置３１の配信処理は図１３、および図１４と同じであり、ここでは説明を省略する。
【０１４５】
このように、この実施形態の情報配信装置３１は、配信情報抽出処理において、配信情報毎に抽出情報記憶部３１４に記憶される総数がこの配信情報の制限回数を超えない。このため、各配信情報はその配信回数が制限回数を超えることはない。
【０１４６】
一方、広告主は情報の配信回数、すなわち利用者６への送信回数、に応じた金額が広告宣伝費用として請求される。広告主はこの広告宣伝費にかかる金額を予め設定している。したがって、広告主は、配信条件に配信回数を設定することにより、情報配信センタ３から請求される金額が予定していた広告宣伝費を超えるのを防止できる。したがって、広告主に対するサービスの向上が図れる。
【０１４７】
なお、この場合。抽出情報記憶部３１４は、図１６に示した配信情報番号を記憶する構成であってもよい。
【０１４８】
次に、この発明の別の実施形態について説明する。この実施形態の情報配信システムの構成も上記実施形態と略同じであるが、情報配信装置３１に抽出情報記憶部３１４を備えていない点で相違する。
【０１４９】
なお、自動改札機２１の動作や、定期券７に記録されているデータ等については、上記実施形態と同じであり、ここでは説明を省略する。
【０１５０】
図１９、この実施形態の情報配信装置の動作を示すフローチャートである。
【０１５１】
情報配信装置３１は、ホスト装置２５から前記通過情報が送信されてくると、この通過情報が利用者６の駅構内への入場を示すものであるのか、駅構内からの退場を示すものであるのかを判定する（ｓ１０１、ｓ１０２）。情報配信装置３１は、ｓ１０２で利用者６の駅構内への入場であると判定すると、この通過情報に含まれている利用者識別コードをキーにして、属性情報記憶部３１３から該当する利用者６の属性情報を獲得する（ｓ１０３）。ここで獲得した属性情報から、配信情報の配信を希望している利用者６であるかどうか（配信希望者であるかどうか）を判定し（ｓ１０４）、配信希望者でなければｓ１０１に戻って前記処理を繰り返す。ｓ１０４で利用者６が配信希望者であると判定すると、配信情報記憶部３１１に記憶されている複数の配信情報の中から、ｓ１０３で獲得した利用者６の属性情報に基づく配信情報を抽出する配信情報抽出処理を実行する（ｓ１０５）。この配信情報抽出処理の詳細については、後述する。
【０１５２】
次に、情報配信装置３１は、利用者６が配信情報の配信を入場時に希望しているのか、退場時に希望しているのかを判定し（ｓ１０６）、入場時であればｓ７５で抽出した配信情報を利用者６に送信する配信処理を実行し（ｓ１０７）、ｓ１０１に戻って前記処理を繰り返す。この配信処理の詳細についても後述する。
【０１５３】
一方、利用者６が配信情報の配信を退場時に希望していれば、後述する配信者リストに該利用者６を登録し（ｓ１０８）、ｓ１０１に戻って前記処理を繰り返す。前記配信者リストの詳細については後述する。
【０１５４】
また、前記ｓ１０２においてホスト装置２５からの通過情報が利用者６の駅構内からの退場を示すものであった場合、この利用者６が前記配信者リストに登録されている利用者であるかどうかを判定する（ｓ１１１）。上述の説明で明らかなように、前記配信者リストに登録されている利用者６は、駅構内からの退場時に配信情報の配信を希望している利用者６である。したがって、ｓ１１１では利用者６の属性情報を獲得し、駅構内からの退場時に配信情報の配信を希望している利用者であるかどうかを判定すればよい。
【０１５５】
情報配信装置３１は、配信者リストに登録されている利用者６であると判定すると、ｓ１０２で該利用者６に対して情報配信処理を実行し、ｓ１０３で前記配信者リストからこの利用者６の登録を削除した後、ｓ１０１に戻り前記処理を繰り返す。
【０１５６】
なお、前記ｓ１０７にかかる情報配信処理と、ｓ１１２にかかる情報配信処理とは同じ処理である。
【０１５７】
次に、前記ｓ１０５にかかる配信情報抽出処理について詳細に説明する。図２０は、配信情報抽出処理を示すフローチャートである。情報配信装置３１では、上述のように配信情報を種別で分類し、さらに配信条件で細分類して管理している。情報配信装置３１は、ｓ１０３で得た利用者６の属性情報に基づいて、該利用者６が配信を希望する配信情報のみ抽出する。具体的には、情報配信装置３１が記憶している配信情報の中から、利用者６が配信を希望する種別の配信情報で、且つ配信情報に付されている配信条件が利用者６の属性情報と合致する配信情報を全て抽出する（ｓ１２１）。次に、ｓ１２１で抽出した配信情報の中に、利用者６が配信を希望しない配信情報が含まれていれば、該配信情報を取り除く（ｓ１２２）。利用者６が配信を希望しない配信情報については、上述のように属性情報において設定されている。そして、残った配信情報を利用者６に配信する配信情報であるとし、該利用者６に送信する配信データを作成する（ｓ１２３）。
【０１５８】
前記配信データは、利用者６により予め指定されたデータ形式で作成される。ここで言う、配信データは電子メールであってもよいし、画像や音声等他の形式のものであってもよい。配信データを電子メールで作成する場合、配信情報本体は添付書類としてもよいし、メール本体に組み込んでもよい。ｓ１２３で作成される配信データの送信先や送信方法についてはこの利用者６の属性情報に設定されている。例えば、属性情報に設定されているメールアドレスが送信先である。
【０１５９】
このように、情報配信装置３１において、複数の配信情報を種別で分類し、さらに配信条件で細分類して管理しているので、例えば、利用者が希望する種別でない配信情報のグループについては、ｓ１２１で一括して検索対象外の配信情報であるとして、無視することができる。したがって、前記ｓ１２１の処理にかかる時間が抑えられ、効率的に処理することができる。
【０１６０】
また、ｓ１２１で抽出した配信情報の中に利用者６が、属性情報で設定している配信を希望しない配信情報が含まれていれば、この配信情報をｓ１２２で取り除くようにしているので、利用者６に対して無用、無駄な配信情報が配信されるのを略確実に防止することができ、配信情報の効率的な配信が行える。
【０１６１】
また、ｓ１２１の処理において利用者６の降車駅近辺に関係がない地域の情報については抽出されない。利用者６の降車駅は定期券７の有効区間の情報から得られる。また、配信情報に対応づけられている配信条件には地域を限定する項目がある（図５に示す例では、新宿駅を経由する利用者が対象になっている。）。したがって、利用者６にとってあまり関係がない地域の情報が抽出されることがないので、利用者６に無駄な配信情報が配信されるのを防止することができる。
【０１６２】
また、情報配信装置３１において、ホスト装置２５から送信されてくる前記通過情報を利用者６毎に蓄積的に記憶させておき、これらの情報を用いて利用者６の以後の行動パターンを予測させ、ｓ１２１における配信情報の抽出にここで予測した行動パターンを用いるようにしてもよい。このようにすれば、利用者６に対して無用、無駄な配信情報が抽出されるのを一層確実に防止することができる。例えば、利用者が途中下車や乗り越しするかどうかを予測し、予測結果に基づいてｓ２１の処理を行うことで、利用者６に対して無用、無駄な配信情報が抽出されるのを一層確実に防止することができる。
【０１６３】
次に、ｓ１０７およびｓ１１２にかかる情報配信処理について詳細に説明する。図２１は情報配信処理を示すフローチャートである。この処理は、前記ｓ１２３で作成した配信データを読み出し（ｓ１３１）、該配信データを送信する処理である（ｓ１３２）。例えば、ｓ１２３において作成された配信データが電子メールであれば、該配信データを電子メールで利用者６の携帯電話機８に送信する。
【０１６４】
上述したように、利用者６の属性情報に含まれているメールアドレスは、該利用者６の携帯電話機８のメールアドレスである。したがって、利用者６は携帯電話機８において、情報配信装置３１から送信されてきた電子メール、すなわち配信情報を確認できる。情報配信装置３１が配信情報を送信する送信先を利用者６の携帯電話機８としたことで、従来のように利用者６が送信されてくる配信情報を受信するために特別な受信装置（特別な受信機能を有する携帯電話機を含む）を用意しなくてもよい。したがって、利用者６の負担が抑えられ、合理的なインフラのもとで前記サービスが受けられる。
【０１６５】
さらに、従来のシステムでは、利用者６に対して配信情報を送信するためには、通信距離等の問題から無線基地局を駅毎に設けなければならなかったが、本システムでは情報配信装置３１と携帯電話機８との通信距離や、情報配信装置３１の設置場所については特に考慮しなくてもよい。前記情報配信装置３１は情報配信センタ３に設けるだけでよい。これにより、システム構築にかかるコストが大幅に低減される。
【０１６６】
しかも、利用者６に対する配信情報の送信が込み合っているとき、送信が遅れた利用者６が駅から離れてしまっても、該利用者６に対して配信情報が送信できなくなるという問題も生じない。また、配信リストから情報の配信が混み合う時間帯を予測し、この予測結果を用いて計画的な情報配信が行えるように構成することもできる。
【０１６７】
次に、ｓ１０８にかかる配信者リスト登録処理の詳細について説明する。図２２は、配信者リスト登録処理を示すフローチャートである。また、図２３は配信者登録リストを示す図である。
【０１６８】
情報配信装置３１は、利用者６が降車駅に到達する時刻を推測する（ｓ１４１）。利用者６の降車駅は定期券７の有効区間の一方の駅（入場した駅と違う方の駅）である。利用者６が降車駅に到達する時刻（到達推定時刻）は、略正確に推測できる。例えば、ｓ１４１の推測において、列車の運行時刻表を利用すれば、利用者６が乗車する列車が予測でき、利用者６が降車駅に到達する時刻を正確に推測できる。また、過去の利用状況を用いれば、利用者６が乗車する列車の種別（普通、快速等）も得られるので、利用者６が降車駅に到達する時刻を一層正確に推測できる。
【０１６９】
配信者登録リストには、図２３（Ａ）に示すように到達推定時刻順に登録者のレコードが並べられている。このレコードは、図示するように到達推定時刻、利用者識別コード、およびｓ１２３で作成した電子メールを対応づけたレコードである。
【０１７０】
情報配信装置３１は、到達推定時刻をｓ１４１で推測した時刻にした前記レコードを作成し（ｓ１４２）、これを配信者リストに登録する（ｓ１４３）。ｓ１４３では、配信者登録リストにおいて各レコードが到達推定時刻順に並ぶように作成したレコードを登録する。例えば、図２３（Ａ）に示す配信者リストに対して、ｓ４２で作成した新たなレコード（図２３（Ｂ）においてハッチングで示すレコード）が図２３（Ｂ）に示すように各レコードが到達推定時刻順に並ぶ位置に登録される。
【０１７１】
したがって、情報配信装置３１は、利用者６の降車駅が定期券７の有効区間から得られた降車駅であるかどうかを判定し、定期券７の有効区間から得られる降車駅であれば（利用者６が途中下車していなければ）、配信者リスト１０に対して到達推定時刻が現在時刻の前後数１０分の範囲内であるレコードを検索することで、ｓ１１２で該利用者６に送信する配信データ（ｓ１２３で作成した配信データ）を得ることができる。
【０１７２】
なお、利用者６の降車駅が定期券７の有効区間から得られた降車駅でなかったとき（利用者６が途中下車した場合等）、該利用者６が定期券７の有効区間から得られる降車駅まで移動していた場合の到達時刻を推定し、レコードの到達推定時刻が、ここで推定した到達時刻の前後数１０分の範囲内であるレコードを検索すればよい。これにより、利用者６に送信する配信データ（ｓ１２３で作成した配信データ）を得ることができる。
【０１７３】
このように、情報配信装置３１は、配信者リストに登録されている一部のレコードに絞った検索で、前記ｓ１１２で利用者に送信する配信データを得ることができる。
【０１７４】
なお、利用者６が途中下車したときには、前記ｓ１２３で作成した配信データをそのまま送信するのではなく、途中下車した駅近辺の配信情報の抽出を再度行ってから、ここで抽出した配信情報を加えて利用者６に送信するようにしてもよい。このようにすれば、利用者６に途中下車した駅近辺の配信情報も配信することができ、利用者６の途中下車等に応じた情報の配信が行える。
【０１７５】
また、利用者６の駅構内への入場時や、降車駅の到達推定時刻に駅構内の案内図を利用者に送信するようにしてもよい。また、このとき列車の時刻表や遅延案内を送信するようにしてもよい。駅構内の案内図や、時刻表の利用者への送信の要否については、上述の属性情報に基づいて行えばよい。
【０１７６】
さらに、広告主にとっては配信情報に前記配信条件を付けたことで、該配信情報が配信される利用者６を絞り込むことができ、効率的な宣伝が行える。例えば、女性向けの配信情報が男性に配信されることがない。
【０１７７】
次に、この発明の別の実施形態について説明する。前記実施形態では、利用者６に配信情報を送信するタイミングを、駅構内への入場時、または駅構内からの退場時のいずれかにしたが、この実施形態では利用者６が降車駅に到達する時刻（推定時刻）よりも所定時間だけ早く送信するようにした。したがって、利用者６は列車内で送信されてきた配信情報の確認が行える。利用者６は、降車駅の駅構内から退場した後の行動を予め決めておくことができる。
【０１７８】
以下、この実施形態にかかる情報配信システムについて詳細に説明する。この実施形態の情報配信システムも図１に示した構成である。
【０１７９】
図２４は、この実施形態にかかる情報配信装置の動作を示すフローチャートである。情報配信装置３３は、ｓ１５１においてホスト装置２５から送信されてきた通過情報が無ければ、後述するｓ１５８にジャンプする。ホスト装置２５からの通過情報があると、ｓ１５２で入場時の通過情報であるかどうかを判定し、入場時であれば利用者６の属性情報を検索する（ｓ１５３）。なお、退場時であれば後述するｓ１５８にジャンプする。
【０１８０】
ｓ１５４では、利用者６が配信情報の配信を希望している利用者であるかどうかを判定する。配信情報を希望しない利用者であれば、後述するｓ１５８にジャンプする。ｓ１５５では、前記図２０に示した配信情報抽出処理を実行する。ｓ１５１〜ｓ１５５の処理は、前記実施形態で説明したｓ１０１〜ｓ１０５の処理と同じ処理である。
【０１８１】
情報配信装置３１は、ｓ１５６で利用者６の降車駅到達時刻を推測する。このｓ１５６の処理は前記実施形態におけるｓ１４１の処理と同じである。情報配信装置３１は、ｓ１５６で推測した降車駅到達時刻よりも所定時間、例えば１５分、早い時刻を送信予定時刻とし、図２５に示す配信者リストに登録する。前記所定時間は、利用者６が送信されてきた配信情報の内容を確認するのに十分な時間に設定される。また、利用者６の属性情報において、この所定時間が設定できるようにしてもよい。この所定の時間については、例えば駅構内への入場後１０分や、到達推定時刻の１５分前といった設定が可能である。
【０１８２】
図２５に示す配信者リストと、前記実施形態における図２３に示した配信者リストとが相違する点は、図２３における到達推定時刻を送信予定時刻とした点である。情報配信装置３１は、配信者リストに送信予定時刻を過ぎたレコードがあれば、このレコードに登録されている利用者６にｓ１２３で作成した配信データを送信する（ｓ１５８、１５９）。そして、ｓ１５９で配信データを送信したレコードを配信者リストから削除し（ｓ１６０）、ｓ１５１に戻って前記処理を繰り返す。
【０１８３】
このように、この実施形態の情報配信システムでは、利用者６が降車駅に到達する所定時間前に配信情報を配信するようにしたので、利用者６は降車駅の駅構内から退場した後の行動を移動中に決めることができる。
【０１８４】
さらに、この発明の別の実施形態について説明する。上述した情報配信システムでは地域的な限定がある配信情報については、利用者６の降車駅近辺の配信情報のみ配信するとしたが、この実施形態では予め設定されている特定の駅については、この駅を通過する利用者６についても該駅近辺の配信情報も配信するようにした。前記特定の駅としては、例えば新宿、渋谷等の歓楽街の最寄り駅や立ち寄り先の駅が考えられる。前記特定の駅は、利用者６の属性情報において、有効区間等にかかわらず設定できるようにすればよい。
【０１８５】
図２６は、この実施形態の情報配信装置の動作を示すフローチャートである。この実施形態の情報配信装置３３は、前記図２４に示したｓ１５１〜ｓ１５７の処理を実行すると（図２６では省略している。）、該利用者６の利用区間（定期券７の有効区間）内に前記特定の駅があるかどうかを判定する（ｓ１６１）。利用者６の利用区間内に特定の駅があれば、情報配信装置３１は配信情報記憶部３１２に記憶されている配信情報の中から、その特定の駅近辺の配信情報で、且つ利用者６の属性情報、および配信条件が適当である配信情報を抽出する（ｓ１６２）。情報配信装置３３はｓ１６２で抽出した配信情報を含む配信データを作成する（ｓ１６３）。ここでは、ｓ１６３で作成された配信データの送信先も利用者６の携帯電話機８である。
【０１８６】
さらに、情報配信装置３１は利用者６が特定の駅に到達する時刻を推測し（ｓ１６４）、ここで推測した時刻より所定時間だけ早い時刻を送信予定時刻とし、図２５に示す配信者リストに登録する（ｓ１６５）。情報配信装置３１は、前記ｓ１６５の処理が完了すると、前記図２４に示したｓ１５８以降の処理を実行する。
【０１８７】
このように、この実施形態では前記特定の駅を通過する利用者６については、該駅近辺の配信情報も配信することができる。また、前記特定の駅が複数ある利用者については、全ての駅について該駅近辺の配信情報が配信される。
【０１８８】
なお、この特定の駅近辺の配信情報については、前記説明からも明らかなように、利用者６が特定の駅を通過する前に配信されている。したがって、利用者６は気になる配信情報があったとき、途中下車して立ち寄ることもでき、利用者６に対するサービスが一層向上される。
【０１８９】
また、情報配信装置３３において、ホスト装置２５から通知される通過情報を蓄積的に記憶し、これらの通過情報から各利用者６の行動パターンを得るようにしてもよい。利用者の過去の行動パターン、例えば途中下車や乗り越し等、を用いて、該利用者６に配信する配信情報を抽出すれば、利用者６に対して無駄な配信情報が送信されるのを一層確実に防止することができる。
【０１９０】
また、前記行動パターンを用いて、利用者６に対して配信データを送信するタイミング、前記送信予定時刻、を決定してもよい。このようにすれば、利用者６に対して適正なタイミングで配信情報の送信が行える。
【０１９１】
なお、前記実施形態では利用者６が所持している携帯電話機８に対して配信情報を送信するとしたが、利用者６の自宅や会社のパソコンで設定しているメールアドレスに送信させてもよい。また、電子メールを受信できる機能を持った電話機に送信させることもできる。また、ファックス装置に送信させてもよい。さらには、ボイスメールで送信させてもよい。
【０１９２】
また、前記実施形態では定期券７を利用している利用者６を対象に配信情報を配信する例を示したが、他の乗車券、例えば回数券、指定券、特急券、遠距離キップを利用する利用者６についてもこのサービスを提供してもよい。利用者６の属性情報は、乗車券の発行時や予約受付時に登録または更新すればよい。このようにすれば、出張や観光できた利用者６に出張先や観光先に関する情報、例えばホテルの空室情報、を提供することができる。
【０１９３】
また、前記情報配信システムは、店舗の入口等に自動改札機２１を設置し、店舗内における特売品の配信情報を、店舗内に入場した利用者６に配信するシステムとしても利用できる。また、このシステムでは、利用者６毎に利用時間帯や、来店パターンの収集も行えるので、利用者６に対する効率的な販売促進活動が行える。
【０１９４】
また、情報配信装置３１において、配信情報の配信履歴を管理させれば、広告主に対して、例えば年齢層別の送信回数といった情報を通知することもできる。
【０１９５】
さらに、情報配信装置３１の配信情報記憶部３１２に記憶されている配信情報の更新がインタネット５を介して行えるようにしてもよい。
【０１９６】
例えば、広告主がインタネット５を介して情報配信装置３１にアクセスし、配信情報記憶部３１２に対して更新する配信情報および認証データを含む配信情報更新要求を送信することで、配信情報の更新が行えるように構成することができる。
【０１９７】
図２７、配信情報記憶部３１２記憶されている配信情報の更新処理を示すフローチャートである。情報配信装置３１は、配信情報の更新要求があると（ｓ１７１）、該配信情報更新要求に含まれている認証データが適正であるかどうかを判定し（ｓ１７２）、認証データが適正であれば該当する広告主について配信情報の登録、追加、削除といった更新を行う（ｓ１７３）。認証データが適正でなければ、配信情報の更新を行わない。
【０１９８】
したがって、広告主にとっては、配信情報記憶部３１２に記憶されている配信情報の更新が簡単に行えるという効果が得られる。また、認証データを必要にしているので、広告主以外の者に勝手に配信情報が更新されることもなく、セキュリティも十分に確保できる。認証データは、暗証番号であってもよいし、指紋データ（指紋のパターンデータ）やアイリスデータ（網膜のパターンデータ）であってもよい。
【０１９９】
また、利用者６の属性情報もインタネット５を介して更新できるように構成してもよい。具体的には、利用者６がインタネット５を介して情報配信装置３１にアクセスし、属性情報記憶部３１４に対して更新する属性情報および認証データを含む属性情報更新要求を送信することで、属性情報の更新が行えるようにしてもよい。
【０２００】
図２８は、属性情報の更新処理を示すフローチャートである。情報配信装置３１は、属性情報更新要求があると（ｓ１８１）、送信されてきた認証データが適正であるかどうかを判定し（ｓ１８２）、認証データが適正であれば該当する属性情報を送信されてきた属性情報に基づいて更新する（ｓ１８３）。認証データが適正でなければ、属性情報の更新を行わない。
【０２０１】
したがって、利用者６が属性情報記憶部３１３に記憶されている属性情報を簡単に更新できる。また、属性情報の更新には、認証データを必要にしているので、属性情報が他人に勝手に更新されることもなく、セキュリティも十分に確保できる。この場合も、認証データは、暗証番号であってもよいし、指紋データ（指紋のパターンデータ）やアイリスデータ（網膜のパターンデータ）であってもよい。
【０２０２】
また、情報配信装置３１は利用者６の属性情報を定期券７に記録されている利用者識別コードで管理している。一方、定期券７は有効期間が過ぎると、駅への入場や駅からの退場に利用できなくなる。したがって、定期券７の有効期間が過ぎると、新たに定期券７を購入するので利用者識別番号が変化する。このため、利用者６は再度属性情報の登録が必要になる。
【０２０３】
一方、一般的な定期券７の利用者６は、定期券７の有効期間が近づくと、継続定期券を購入している。継続定期券は、購入時において、有効期間が近づいている定期券７と交換に発行される定期券であり、有効期間の数日前から購入できる。そこで、図２９に示す利用者識別コードの自動更新が行えるように構成してもよい。継続定期券の発行時に、定期券発行機２３から有効期間が近づいている定期券７に記録されている利用者識別コード（以下、旧利用者識別コードと言う。）と、新たに発行する継続定期券に記録されている利用者識別コード（以下、新利用者識別コードと言う。）を含む継続定期券発行通知を情報配信装置３１に送信させる。
【０２０４】
情報配信装置３１は、定期券発行機２３から継続定期券発行通知を受信すると（ｓ１９１）、この継続定期券発行通知に含まれている旧利用者識別コード、および新利用者識別コードを読み出す（ｓ１９２）。情報配信装置３１は、旧利用者識別コードをキーにして属性情報記憶部３１３を検索し、該当する利用者６の属性情報が記憶されているかどうかを判定する（ｓ１９３）。情報配信装置３１は、該当する利用者６の属性情報が記憶されていると、該利用者の利用者識別コードを新利用者識別コードに書き換える（ｓ１９４）。
【０２０５】
これにより、継続定期券７を購入した利用者６は、再度属性情報の登録を行わなくても良いので、定期券７の有効期間切れにより、上記サービスが受けられなくなると言う問題も生じない。
【０２０６】
また、前記実施形態では、利用者６に対して広告主から提供されている配信情報を配信するシステムで説明したが、例えば鉄道事業者から以下に示すサービスを提供することもできる。例えば、事故、災害の発生によって列車の運行が停止された場合、列車の運行が停止されている区間を利用する利用者６に対して、事故、災害の発生通知や迂回経路、代替輸送手段等を利用者６の携帯電話機８に通知できる。
【０２０７】
具体的には、情報配信装置３１が、利用者管理装置３２で管理されている属性情報から、列車の運行停止により影響を受ける利用者６を抽出し（ｓ２０１）、ここで抽出した利用者６に対して事故、災害の発生および迂回経路や代替輸送手段を該利用者の携帯電話機８に送信する（ｓ２０２）（図３０参照）。ｓ２０２にかかる送信は、ｓ２０１で抽出した利用者６に対する同報発信で行える。
【０２０８】
また、情報配信装置３１は、ホスト装置２５から送信されてきている通過情報から、すでに駅構内に入場している利用者６と、駅構内に入場していない利用者６とを区別することもできる。また、駅構内に入場していない利用者６については、勤務、通学先付近にいるか、自宅付近にいるかも推測できる。これらを利用し、前記ｓ２０１で影響を受ける利用者６であって、且つ駅構内に入場していない利用者６のみ抽出してもよい。すでに駅構内に入場している利用者６は、駅構内における案内放送等によって事故、災害の発生や迂回経路、代替輸送手段を認識しているので、この情報が送信されなくても問題はない。
【０２０９】
このようにすれば、利用者６に対する情報の送信量も抑えられ、運用コストを抑えることができる。
【０２１０】
また、前記実施形態では事故、災害の発生や迂回経路、代替輸送手段を利用者６に送信するとしたが、乗り替え駅に近づいた利用者６に対して乗換駅の構内の案内図や、ホームまでの移動経路等を送信してもよい。また、ボイスメールで利用者６を乗り換えのホームまで誘導するようにしてもよい。また、乗り替え駅に到着する時刻が昼食時であれば、駅構内にある食事場所に関する案内を送信してもよい。このようにすれば、駅構内に設置されている食堂、販売店等の配信情報効果や売上向上にもつながる。
【０２１１】
配信情報の送信先は、以下に示すように電話機やＦＡＸ装置とすることもできる。
【０２１２】
例えば、利用者６が駅構内に入場したときや、退場したときに、情報配信装置３３が該利用者６の自宅の電話機に電話をかけて、自宅にいる家族に『１９時１３分ＡＡＡ駅の改札口を通過しました。これから、帰ります』等のメッセージを伝えるサービスが提供できる。また、前記メッセージをファックスで送信してもよい。
【０２１３】
また、利用者６が駅構内に入場したとき、入場から所定時間経過したとき、退場したとき等に情報配信装置３１が該利用者６の自宅の電話機に電話をかけ、周知のホームオートメーションを利用して、自宅の空調機器の動作を開始させるサービスも実現できる。
【０２１４】
また、利用者６が乗り替え駅や、降車駅に近づいたときに、該利用者６の乗り越しを防止するために、目覚ましメールを送信することもできる。
【０２１５】
このように、この情報配信システムでは配信情報の配信だけでなく、様々なサービスを利用者６に提供することができる。
【０２１６】
また、有料道路を利用して自動車で移動する利用者に対して配信情報を送信することもできる。ここでは、有料道路の通行券、例えば磁気券型のハイウェイカード、ＥＴＣ（Ｅｌｅｃｔｒｏｎｉｃ  Ｔｏｌｌ  Ｃｏｌｌｅｃｔｉｏｎ  Ｓｙｓｔｅｍ）の車載機等を利用して、有料道路の入口や出口で利用者識別コードを獲得する。具体的には、利用者が通行券を購入するときときに、前記実施形態における定期券７の発行時と略同様の方法で該利用者６の属性情報を登録する。また、利用者６の属性情報に、電話番号や自動車登録番号等を含ませることで、一度登録すれば以後の通行券の購入時に該利用者６の属性情報の入力を不要にすることもできる。
【０２１７】
通行券が利用されたときに、該通行券に記憶されている情報から利用者６を特定し、前記登録されている利用者６の属性情報を得ることができる。また、ＥＴＣのを利用した場合も有料道路の入口や出口で利用者識別コードが得られるので、属性情報が登録されている利用者６であれば該利用者６の属性情報を得ることができる。この利用者６に送信する配信情報としては、前記実施形態と同様に、有料道路から出た地域近辺の情報が考えられる。また、有料道路の走行中には該有料道路における道路施設（パーキングエリアやサービスエリア等）、渋滞の発生有無や場所、沿道の情報、天気予報等も送信できる。これらの情報は、利用者６が有料道路を利用しないと送信されないようにしておけば、無駄な情報配信を抑えることができる。
【０２１８】
なお、この場合には、運転者に対する情報の送信であることから、情報の送信形態を音声メッセージ（ハンズフリー）やボイスメール等にするのが望ましい。
【０２１９】
また、利用者６の行き先が予測できるとき、例えば山岳登山道路などで行き止まりになっている有料道路を利用している利用者６であれば該利用者の行き先と、その行き先に到達する時刻の推定が行える。このような場合、走行位置に応じた道路情報の送信等が行える。例えば、『ａａａ地点では凍結に注意してください。』や『ｂｂｂ地点では車線規制が行われています。』等の情報を利用者に対してタイムリーに提供できる。
【０２２０】
また、飛行機を利用して移動する利用者６についても配信情報の送信が行える。飛行機の搭乗券は、搭乗する飛行機や行き先等が得られる点で、前記実施形態にかかる定期券７や特急券等と同じである。搭乗券の予約時や発行時に前記利用者の属性情報を登録すればよい。利用者６が空港のカウンタでチェックインしたときが、前記実施形態における自動改札機２１の通過タイミングとして利用できる。このタイミングで利用者６が空港に到着したことを判断し、チェックインにより搭乗する飛行機が確定するので、利用者６に送信する配信情報の抽出が行える。
【０２２１】
また、搭乗ゲートまで案内する案内情報を送信したり、搭乗時刻が迫っている乗客に対して搭乗を促すメッセージを送信することもできる。また、セキュリティチェックゲートにも同様の機能を設ければ、利用者６が空港内のどのエリアにいるのかを判断して、居場所に応じた情報を送信することもできる。
【０２２２】
なお、利用者６の行き先も特定できるので、行き先に応じた情報の送信も行える。
【０２２３】
さらに、搭乗中には電子機器の使用が禁止されているので、搭乗ゲートを通過し機内に入った利用者６に対する情報の送信については行わないことで、無駄な情報の送信が行われるのを抑えることができる。なお、利用者６が搭乗した飛行機が行き先に到着し、該利用者６が飛行機から機外に出たタイミングで、該利用者６に対する情報の送信を再開すればよい。
【０２２４】
また、最近では会員カードサービスとの融合によって得られる利用者６の情報が豊富であるので、会員情報を属性情報として利用することも考えられる。このようにすれば、利用者６の属性情報の登録にかかる手間も抑えられる。また、全会員に対する情報の送信を一括して行うサービスも実現できる。さらに、船舶、例えばカーフェリー等で移動する利用者６に対する情報の送信等も可能である。
【図面の簡単な説明】
【０２２５】
【図１】この発明の実施形態である情報配信システムの構成を示す図
【図２】この発明の実施形態である情報配信装置の構成を示す図
【図３】定期券および該定期券に記録されているデータを示す図
【図４】利用者管理装置で管理されている属性情報を示す図
【図５】情報配信装置に記憶されている配信情報の例を示す図
【図６】自動改札機の構成を示す図
【図７】自動改札機の外観を示す図
【図８】この発明の実施形態である情報配信システムにおける情報の流れを示す図
【図９】自動改札機の動作を示すフローチャート
【図１０】自動改札機から送信される通過情報を示す図
【図１１】配信情報抽出処理を示すフローチャート
【図１２】抽出情報記憶部の構成を説明する図
【図１３】配信処理を示すフローチャート
【図１４】配信処理を示すフローチャート
【図１５】別の実施形態にかかる配信情報抽出処理を示すフローチャート
【図１６】抽出情報記憶部の構成を説明する図
【図１７】別の実施形態にかかる配信処理を示すフローチャート
【図１８】別の実施形態にかかる配信情報抽出処理を示すフローチャート
【図１９】別の実施形態にかかる情報配信装置の動作を示すフローチャート
【図２０】別の実施形態にかかる配信情報抽出処理を示すフローチャート
【図２１】別の実施形態にかかる配信処理を示すフローチャート
【図２２】別の実施形態にかかる配信者リスト登録処理を示すフローチャート
【図２３】別の実施形態にかかる配信者リストを示す図
【図２４】別の実施形態にかかる情報配信装置の動作を示すフローチャート
【図２５】別の実施形態にかかる配信者リストを示す図
【図２６】別の実施形態にかかる情報配信装置の動作を示すフローチャート
【図２７】配信情報更新処理を示すフローチャート
【図２８】属性情報更新処理を示すフローチャート
【図２９】利用者識別コード更新処理を示すフローチャート
【図３０】別の実施形態にかかる情報配信装置の動作を示すフローチャート
【符号の説明】
【０２２６】
５−インタネット
７−定期券
８−携帯電話
１１−サーバ装置
２１−自動改札機
２５−ホスト装置
３１−情報配信装置
【図１】
2006252568.tif 000003
【図２】
2006252568.tif 000004
【図３】
2006252568.tif 000005
【図４】
2006252568.tif 000006
【図５】
2006252568.tif 000007
【図６】
2006252568.tif 000008
【図７】
2006252568.tif 000009
【図８】
2006252568.tif 000010
【図９】
2006252568.tif 000011
【図１０】
2006252568.tif 000012
【図１１】
2006252568.tif 000013
【図１２】
2006252568.tif 000014
【図１３】
2006252568.tif 000015
【図１４】
2006252568.tif 000016
【図１５】
2006252568.tif 000017
【図１６】
2006252568.tif 000018
【図１７】
2006252568.tif 000019
【図１８】
2006252568.tif 000020
【図１９】
2006252568.tif 000021
【図２０】
2006252568.tif 000022
【図２１】
2006252568.tif 000023
【図２２】
2006252568.tif 000024
【図２３】
2006252568.tif 000025
【図２４】
2006252568.tif 000026
【図２５】
2006252568.tif 000027
【図２６】
2006252568.tif 000028
【図２７】
2006252568.tif 000029
【図２８】
2006252568.tif 000030
【図２９】
2006252568.tif 000031
【図３０】
2006252568.tif 000032